(57)【要約】【課題】第１の端末へのコンテンツデータの送信を行いながら、第１の端末とは異なる第２の端末へのコンテンツデータの送信を行うこと。【解決手段】管理システムにおいて、第１の端末と第２の端末との間で第１のセッションを確立する要求であり前記第１の端末が送信した要求を受信する受信部と、前記第１の端末と第３の端末との間で前記第１のセッションとは異なる第２のセッションが確立されているときに、前記受信部が、前記第１のセッションを確立する要求を受信した場合、前記第２の端末に、前記第１のセッションを確立する要求を送信するセッション制御部と、を備える。【選択図】図１４
2017076951.tif 000002
【特許請求の範囲】
【請求項１】
第１の端末と第２の端末との間で第１のセッションを確立する要求であり前記第１の端末が送信した要求を受信する受信部と、
前記第１の端末と第３の端末との間で前記第１のセッションとは異なる第２のセッションが確立されているときに、前記受信部が、前記第１のセッションを確立する要求を受信した場合、前記第２の端末に、前記第１のセッションを確立する要求を送信するセッション制御部と、
を備える管理システム。
【請求項２】
前記セッション制御部は、前記第１の端末が前記第１のセッションと前記第２のセッションとを同時に確立可能か否かを示す情報に基づいて、前記第２の端末に前記第１のセッションを確立する要求の送信可否を判断する、
請求項１記載の管理システム。
【請求項３】
前記セッション制御部は、前記第１のセッションを確立する要求を受信した場合、前記第２の端末を前記第２のセッションから退出させた後、前記第２の端末に前記第１のセッションを確立する要求を送信する、
請求項１又は２記載の管理システム。
【請求項４】
前記セッション制御部は、前記第２のセッションが確立されているときに、前記第１のセッションを確立する場合、前記第２のセッションにおける前記第１の端末からの音声データの配信を停止させる、
請求項１乃至３のいずれか一項に記載の管理システム。
【請求項５】
前記セッション制御部は、前記音声データの配信を停止させる際、前記第３の端末に、前記音声データの配信が停止している旨を通知する、
請求項４記載の管理システム。
【請求項６】
第１の端末との間の第１のセッションを、第２の端末との間の第２のセッションが確立されているときに確立する場合、前記第２のセッションにおけるコンテンツデータの通信の品質を変更するセッション制御部と、
前記変更された通信の品質により、前記第２のセッションにおけるコンテンツデータの通信を行う通信部と、
を備える伝送端末。
【請求項７】
前記第１のセッションは、前記第１の端末との間で通話を行うセッションであり、
前記第２のセッションは、前記第２の端末との音声データを含むコンテンツデータを配信するセッションであり、
前記セッション制御部は、前記通信部に、前記音声データの配信を停止することにより、前記第２のセッションにおけるコンテンツデータの通信の品質を変更する、
請求項６記載の伝送端末。
【請求項８】
前記セッション制御部は、前記第１のセッションを確立できない場合、コンテンツデータを記録し、
前記通信部は、記録したコンテンツデータを送信する、
請求項７記載の伝送端末。
【請求項９】
前記第１のセッション及び前記第２のセッションにおけるコンテンツデータを中継する中継装置との間の通信帯域の情報を取得する帯域情報取得部と、
前記取得した通信帯域の情報に基づき、前記第１のセッション及び前記第２のセッションの通信の品質を決定する品質決定部と、を備え、
前記セッション制御部は、前記決定された通信の品質に基づき、前記第２のセッションにおけるコンテンツデータの通信の品質を変更する、
請求項６乃至８のいずれか一項に記載の伝送端末。
【請求項１０】
前記品質決定部は、前記各コンテンツデータの通信に応じた通信帯域の割合、または前記各コンテンツデータの通信に応じた最低限の通信帯域に基づいて、前記各コンテンツデータの通信の品質を決定する、
請求項９記載の伝送端末。
【請求項１１】
他の端末と通話を行う第１のセッションを、他の端末からのコンテンツデータを配信される第２のセッションが確立されているときに確立する場合、前記第２のセッションから退出した後、前記第１のセッションを確立する伝送端末。
【請求項１２】
管理システムが、
第１の端末と第２の端末との間で第１のセッションを確立する要求であり前記第１の端末が送信した要求を受信するステップと、
前記第１の端末と第３の端末との間で前記第１のセッションとは異なる第２のセッションが確立されているときに、前記第１のセッションを確立する要求を受信した場合、前記第２の端末に、前記第１のセッションを確立する要求を送信するステップと、
を実行する伝送管理方法。
【請求項１３】
管理システムに、
第１の端末と第２の端末との間で第１のセッションを確立する要求であり前記第１の端末が送信した要求を受信するステップと、
前記第１の端末と第３の端末との間で前記第１のセッションとは異なる第２のセッションが確立されているときに、前記第１のセッションを確立する要求を受信した場合、前記第２の端末に、前記第１のセッションを確立する要求を送信するステップと、
を実行させるプログラム。
【発明の詳細な説明】
【技術分野】
【０００１】
本発明は、管理システム、伝送端末、伝送管理方法、及びプログラムに関する。
【背景技術】
【０００２】
近年、配信元に設置されたライブ中継カメラからの映像等のコンテンツデータを、インターネット等の通信ネットワークを介して、複数の端末に配信する配信システムが知られている。例えば、保育園や幼稚園の映像や音声を、保護者の端末に配信する。それにより、保護者が園内の子供の様子を確認できため、園内でのセキュリティ強化に役立ち、保護者の不安が解消できるといった利点がある。
【０００３】
また、特許文献１には、通信相手とのサービスでサポートされていないデータを追加してやり取りするために、新たなセッションを確立して、当該データのやり取りを行う技術が開示されている。
【発明の概要】
【発明が解決しようとする課題】
【０００４】
しかし、従来の会議システムや配信システムでは、相手へのコンテンツデータの配信中に、当該相手とは異なる相手にコンテンツデータを送信することができないという問題がある。
【０００５】
そこで、第１の端末へのコンテンツデータの送信を行いながら、第１の端末とは異なる第２の端末へのコンテンツデータの送信を行える技術を提供することを目的とする。
【課題を解決するための手段】
【０００６】
管理システムにおいて、第１の端末と第２の端末との間で第１のセッションを確立する要求であり前記第１の端末が送信した要求を受信する受信部と、前記第１の端末と第３の端末との間で前記第１のセッションとは異なる第２のセッションが確立されているときに、前記受信部が、前記第１のセッションを確立する要求を受信した場合、前記第２の端末に、前記第１のセッションを確立する要求を送信するセッション制御部と、を備える。
【発明の効果】
【０００７】
開示の技術によれば、第１の端末へのコンテンツデータの送信を行いながら、第１の端末とは異なる第２の端末へのコンテンツデータの送信を行うことが可能となる。
【図面の簡単な説明】
【０００８】
【図１】本発明の一実施形態に係る伝送システムの概略図である。
【図２】本実施形態に係る端末の外観図である。
【図３】本発明の一実施形態に係る端末のハードウェア構成図である。
【図４】本発明の一実施形態に係る管理システム、中継装置、プログラム提供システム、又はメンテナンスシステムのハードウェア構成図である。
【図５】第１の実施形態に係る伝送システムを構成する各端末、装置及びシステムの機能ブロック図である。
【図６】中継装置管理テーブルを示す概念図である。
【図７】端末認証管理テーブルを示す概念図である。
【図８】端末管理テーブルを示す概念図である。
【図９】宛先リスト管理テーブルを示す概念図である。
【図１０】セッション管理テーブルを示す概念図である。
【図１１】中継装置選択管理テーブルを示す概念図である。
【図１２】入室管理テーブルを示す概念図である。
【図１３】会議室管理テーブルを示す概念図である。
【図１４】配信中に通話を行う場合の伝送システムのシーケンス図である。
【図１５】配信元の端末が、配信中に通話を行う際の処理のフローチャートである。
【図１６】セッション管理処理のフローチャートである。
【図１７】宛先の端末の着信処理のフローチャートである。
【図１８】配信元の端末の画面表示の例を示す図である。
【図１９】配信先の端末の画面表示の例を示す図である。
【図２０】伝送システムにおける画像データ、音声データ、及び各種管理情報の送受信の状態を示した概念図である。
【図２１】会議室を新規に作成するときに表示する会議室新規作成画像を示す図である。
【図２２】会議室の新規作成時の処理を示したシーケンス図である。
【図２３】会議室の詳細情報を示す会議室詳細画像を示す図である。
【図２４】会議室情報を編集するときに表示する会議室編集画像を示す図である。
【図２５】会議室一覧の表示及び会議室の編集時の処理を示したシーケンス図である。
【図２６】会議室一覧から、会議室に入室するときの処理を示したシーケンス図である。
【図２７】入室判定の結果に応じた処理を示すフローチャートである。
【図２８】宛先端末状態一覧情報を含む画像を示す図である。
【図２９】宛先端末状態一覧情報を含む画像を、端末に表示する処理を示したシーケンス図である。
【図３０】通話の開始を要求する処理を示したシーケンス図である。
【図３１】通話の開始の要求を許可する場合の処理を示したシーケンス図である。
【図３２】通信の開始の要求を拒否する場合の処理を示したシーケンス図である。
【図３３】通話データの中継を要求する処理を示したシーケンス図である。
【図３４】通話データ用セッションからの退出を要求する処理を示したシーケンス図である。
【図３５】第２の実施形態に係る伝送システムを構成する各端末、装置及びシステムの機能ブロック図である。
【図３６】品質設定管理テーブルを示す概念図である。
【図３７】通信帯域の制御処理を行う際の処理の一例を示すシーケンス図である。
【図３８】帯域情報取得処理の一例を示すフローチャートである。
【図３９】品質決定処理の一例を示すフローチャートである。
【図４０】映像配信の通信帯域が所定の閾値以下の場合の、配信先での表示画面例である。
【発明を実施するための形態】
【０００９】
［第１の実施形態］
＜＜実施形態の全体構成＞＞
以下、図１乃至図３４を用いて、本発明の第１の実施形態について説明する。図１は、本発明の一実施形態に係る伝送システム１の概略図であり、まずは図１を用いて、本実施形態の概略を説明する。
【００１０】
伝送システムには、管理システムを介して一方の端末から他方の端末に一方向でコンテンツデータを伝送するデータ提供システムや、管理システムを介して複数の端末間で情報や感情等を相互に伝達するコミュニケーションシステムが含まれる。このコミュニケーションシステムは、コミュニケーション管理システム（「管理システム」に相当）を介して複数のコミュニケーション端末（「端末」に相当）間で情報や感情等を相互に伝達するためのシステムであり、テレビ会議システムやテレビ電話システム、音声会議システム、音声電話システム、ＰＣ（Ｐｅｒｓｏｎａｌ  Ｃｏｍｐｕｔｅｒ）画面共有システム等が例として挙げられる。
【００１１】
図１に示す伝送システム１は、複数の端末（１０ａａ，１０ａｂ，…）、各端末（１０ａａ，１０ａｂ，…）用のディスプレイ（１２０ａａ，１２０ａｂ，…）、複数の中継装置（３０ａ，３０ｂ，３０ｃ，３０ｄ，３０ｅ）、及び管理システム５０、プログラム提供システム９０、及びメンテナンスシステム１００によって構築されている。
【００１２】
なお、本実施形態では、端末（１０ａａ，１０ａｂ，…）のうち任意の端末を示す場合は単に「端末１０」という。ディスプレイ（１２０ａａ，１２０ａｂ，…）のうち任意のディスプレイを示す場合は単に「ディスプレイ１２０」という。中継装置（３０ａ，３０ｂ，３０ｃ，３０ｄ，３０ｅ）のうち任意の中継装置を示す場合は単に「中継装置３０」という。
【００１３】
端末１０は、コンテンツデータの一例としての画像データ及び音声データの送受信を行う。即ち、本実施形態における通話には、音声データの送受信だけでなく、画像データの送受信も含まれる。即ち、本実施形態における端末１０は、画像データ及び音声データの送受信を行う。但し、端末１０は画像データの送受信を行わず、音声データの送受信を行うようにしてもよい。端末１０は、例えばスマートフォンやノートパソコン等の端末であってもよい、その場合、携帯電話網、無線ＬＡＮ、インターネット等の伝送網を介して管理システム５０等と接続する構成としてもよい。
【００１４】
本実施形態では、画像データの画像が動画の場合について説明するが、動画だけでなく静止画であってもよい。また、画像データの画像には、動画と静止画の両方が含まれてもよい。
【００１５】
中継装置３０は、複数の端末１０の間で、画像データ及び音声データの中継を行う。管理システム５０は、コンテンツデータを送受信する複数の端末１０の通信を管理する。端末１０の通信に係る情報は、端末１０に係る情報、複数の端末１０間の通信を中継する中継装置３０に係る情報、並びに、端末１０及び中継装置３０を使用した通信の設定に係る情報等である。より具体的には、管理システム５０は、中継装置３０の稼動状態、及びＩＰアドレス等の中継装置３０毎の情報、並びに、端末１０が使用する中継装置３０を決定するための情報等を記憶する。また、管理システム５０は、端末１０が伝送システム１にログインするための認証情報（端末ＩＤ及びパスワード）、端末１０毎に登録された通信の宛先となる端末の情報、並びに、端末１０及び中継装置３０を使用した通信（セッション）に係る情報等を記憶する。また、管理システム５０は、指定された一以上の端末１０が参加できる通信の設定に係る情報を記憶する。管理システム５０が記憶する情報の詳細については後述する。
【００１６】
また、図１に示されている複数のルータ（７０ａ，７０ｂ，７０ｃ，７０ｄ，７０ａｂ，７０ｃｄ）は、画像データ及び音声データの最適な経路の選択を行う。なお、本実施形態では、ルータ（７０ａ，７０ｂ，７０ｃ，７０ｄ，７０ａｂ，７０ｃｄ）のうち任意のルータを示す場合には「ルータ７０」を用いる。
【００１７】
プログラム提供システム９０は、端末１０に各種機能又は各種手段を実現させるための端末用プログラムが記憶された、不図示のＨＤ（Ｈａｒｄ  Ｄｉｓｋ）を備えており、端末１０に、端末用プログラムを送信することができる。また、プログラム提供システム９０のＨＤには、中継装置３０に各種機能又は各種手段を実現させるための中継装置用プログラムも記憶されており、中継装置３０に、中継装置用プログラムを送信することができる。更に、プログラム提供システム９０のＨＤには、管理システム５０に各種機能又は各種手段を実現させるための伝送管理用プログラムも記憶されており、管理システム５０に、伝送管理用プログラムを送信することができる。
【００１８】
メンテナンスシステム１００は、端末１０、中継装置３０、管理システム５０、及びプログラム提供システム９０のうちの少なくとも１つの維持、管理、又は保守を行うためのコンピュータである。例えば、メンテナンスシステム１００が国内に設置され、端末１０、中継装置３０、管理システム５０、又はプログラム提供システム９０が国外に設置されている場合、メンテナンスシステム１００は、通信ネットワーク２を介して遠隔的に、端末１０、中継装置３０、管理システム５０、及びプログラム提供システム９０のうちの少なくとも１つの維持、管理、保守等のメンテナンスを行う。また、メンテナンスシステム１００は、通信ネットワーク２を介さずに、端末１０、中継装置３０、管理システム５０、及びプログラム提供システム９０のうちの少なくとも１つにおける機種番号、製造番号、販売先、保守点検、又は故障履歴の管理等のメンテナンスを行う。
【００１９】
また、端末（１０ａａ，１０ａｂ，１０ａｃ，１０ａ…）、中継装置３０ａ、及びルータ７０ａは、ＬＡＮ２ａによって通信可能に接続されている。端末（１０ｂａ，１０ｂｂ，１０ｂｃ，１０ｂ…）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。
【００２０】
一方、端末（１０ｃａ，１０ｃｂ，１０ｃｃ，１０ｃ…）、中継装置３０ｃ、及びルータ７０ｃは、ＬＡＮ２ｃによって通信可能に接続されている。端末（１０ｄａ，１０ｄｂ，１０ｄｃ，１０ｄ…）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。
【００２１】
端末（１０ｅ１，１０ｅ２，・・・）は、インターネット２ｉを介して、通信可能に接続されている。
【００２２】
また、管理システム５０、及びプログラム提供システム９０は、インターネット２ｉを介して、端末１０、及び中継装置３０と通信可能に接続されている。管理システム５０、及びプログラム提供システム９０は、地域Ａ又は地域Ｂに設置されていてもよいし、これら以外の地域に設置されていてもよい。
【００２３】
また、中継装置３０ｅは、通信ネットワーク２を介して伝送システム１の全ての端末１０と通信可能に接続されている。この中継装置３０ｅは、常時稼動しており、地域Ａ又は地域Ｂのローカルエリア内の通信量の影響を受けにくくするために、これら以外の地域に設置されている。これにより、端末１０が他のローカルエリアに設置された端末と通話する場合に、通話データを中継するための中継装置として中継装置３０ｅが用いられる。また、同一のローカルエリアの端末間で通話を行う際に、このローカルエリアに設置された中継装置が稼動していない場合にも、緊急用の中継装置として中継装置３０ｅが用いられる。
【００２４】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、本実施形態の通信ネットワーク２が構築されている。この通信ネットワーク２には、有線だけでなく無線による通信が行われる箇所があってもよい。
【００２５】
また、図１において、各端末１０、各中継装置３０、管理システム５０、各ルータ７０、プログラム提供システム９０、及びメンテナンスシステム１００の下に示されている４組の数字は、一般的なＩＰｖ４におけるＩＰアドレスを簡易的に示している。例えば、端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００２６】
＜＜実施形態のハードウェア構成＞＞
次に、本実施形態のハードウェア構成を説明する。
【００２７】
図２は、本実施形態に係る端末１０の外観図である。以下、端末１０の長手方向をＸ軸方向、水平面内でＸ軸方向に直交する方向をＹ軸方向、Ｘ軸方向及びＹ軸方向に直交する方向（鉛直方向）をＺ軸方向として説明する。
【００２８】
図２に示されているように、端末１０は、筐体１１０１、アーム１２００、及びカメラハウジング１３００を備えている。このうち、筐体１１０１の前側壁面１１１０には、複数の吸気孔によって形成された不図示の吸気面が設けられており、筐体１１０１の後側壁面１１２０には、複数の排気孔が形成された排気面１１２１が設けられている。これにより、筐体１１０１に内蔵された冷却ファンの駆動によって、不図示の吸気面を介して端末１０の後方の外気を取り込み、排気面１１２１を介して端末１０の後方へ排気することができる。筐体１１０１の右側壁面１１３０には、収音用孔１１３１が形成され、後述する内蔵型のマイク１１４ａによって音声、物音、雑音等の音が収音可能となっている。
【００２９】
筐体１１０１の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型のスピーカ１１５ａからの出力音を通すための複数の音声出力孔によって形成された音出面１１５１が形成されている。また、筐体１１０１の左側壁面１１４０側には、アーム１２００及びカメラハウジング１３００を収容するための凹部としての収容部１１６０が形成されている。筐体１１０１の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１０１の左側壁面１１４０には、後述の外部機器接続Ｉ／Ｆ１１８に対して電気的にディスプレイ１２０用のケーブル１２０ｃを接続するための不図示の接続口が設けられている。
【００３０】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００３１】
次に、アーム１２００は、トルクヒンジ１２１０を介して筐体１１０１に取り付けられており、アーム１２００が筐体１１０１に対して、１３５度のチルト角θ１の範囲で、上下方向に回転可能に構成されている。図２は、チルト角θ１が９０度の状態を示している。
【００３２】
カメラハウジング１３００には、後述の内蔵型のカメラ１１２ａが設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図２で示されている状態を０度として±１８０度のパン角θ２の範囲で、且つ、±４５度のチルト角θ３の範囲で、上下左右方向に回転可能に構成されている。
【００３３】
また、後述する、複数のセッションを並行して接続する端末１０の場合は、外付けカメラ１１２ｂ、外付けマイク１１４ｂ、外付けスピーカ１１５ｂ等が、ＵＳＢ等を用いて接続される。
【００３４】
なお、中継装置３０、管理システム５０、プログラム提供システム９０、及びメンテナンスシステム１００は、それぞれ一般のサーバ・コンピュータの外観と同じであるため、外観の説明を省略する。
【００３５】
図３は、本発明の一実施形態に係る端末１０のハードウェア構成図である。図３に示されているように、本実施形態の端末１０は、端末１０全体の動作を制御するＣＰＵ（Ｃｅｎｔｒａｌ  Ｐｒｏｃｅｓｓｉｎｇ  Ｕｎｉｔ）１０１、端末用プログラムを記憶したＲＯＭ（Ｒｅａｄ  Ｏｎｌｙ  Ｍｅｍｏｒｙ）１０２、ＣＰＵ１０１のワークエリアとして使用されるＲＡＭ（Ｒａｎｄｏｍ  Ａｃｃｅｓｓ  Ｍｅｍｏｒｙ）１０３、画像データや音声データ等の各種データを記憶するフラッシュメモリ１０４、ＣＰＵ１０１の制御にしたがってフラッシュメモリ１０４に対する各種データの読み出し又は書き込みを制御するＳＳＤ（Ｓｏｌｉｄ  Ｓｔａｔｅ  Ｄｒｉｖｅ）１０５、フラッシュメモリ等の記録メディア１０６に対するデータの読み出し又は書き込み（記憶）を制御するメディアドライブ１０７、端末１０の宛先を選択する場合などに操作される操作ボタン１０８、端末１０の電源のＯＮ／ＯＦＦを切り換えるための電源スイッチ１０９、通信ネットワーク２を利用してデータ伝送をするためのネットワークＩ／Ｆ（Ｉｎｔｅｒｆａｃｅ）１１１を備えている。
【００３６】
また、端末１０は、ＣＰＵ１０１の制御に従って被写体を撮像して画像を得る内蔵型のカメラ１１２ａ、このカメラ１１２ａの駆動を制御する撮像素子Ｉ／Ｆ１１３、音声を出力する内蔵型のスピーカ１１５ａ、ＣＰＵ１０１の制御に従ってマイク１１４ａ及びスピーカ１１５ａとの間で音声信号の入出力を処理する音声入出力Ｉ／Ｆ１１６、ＣＰＵ１０１の制御に従って外付けのディスプレイ１２０に画像データを伝送するディスプレイＩ／Ｆ１１７、図２に示されている接続口１１３２ａ〜ｃに取り付けられ各種の外部機器を接続するための外部機器接続Ｉ／Ｆ１１８、端末１０の各種機能の異常を知らせるアラームランプ１１９、及び上記各構成要素を図２に示されているように電気的に接続するためのアドレスバスやデータバス等のバスライン１１０を備えている。
【００３７】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）やＤＶＩ（Ｄｉｇｉｔａｌ  Ｖｉｄｅｏ  Ｉｎｔｅｒａｃｔｉｖｅ）信号用のケーブルであってもよい。
【００３８】
カメラ１１２ａは、レンズや、光を電荷に変換して被写体の画像（映像）を電子化する固体撮像素子を含み、固体撮像素子として、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）等が用いられる。
【００３９】
外部機器接続Ｉ／Ｆ１１８には、ＵＳＢ（Ｕｎｉｖｅｒｓａｌ  Ｓｅｒｉａｌ  Ｂｕｓ）ケーブル等によって、外付けカメラ１１２ｂ、外付けマイク１１４ｂ、及び外付けスピーカ１１５ｂ等の外部機器がそれぞれ接続可能である。
【００４０】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いてもよい。
【００４１】
更に、上記端末用プログラムは、インストール可能な形式又は実行可能な形式のファイルで、上記記録メディア１０６等の、コンピュータで読み取り可能な記録媒体に記録して流通させるようにしてもよい。
【００４２】
図４は、本発明の一実施形態に係る管理システムのハードウェア構成図である。管理システム５０は、管理システム５０全体の動作を制御するＣＰＵ２０１、伝送管理用プログラムを記憶したＲＯＭ２０２、ＣＰＵ２０１のワークエリアとして使用されるＲＡＭ２０３、各種データを記憶するＨＤ（Ｈａｒｄ  Ｄｉｓｋ）２０４、ＣＰＵ２０１の制御にしたがってＨＤ２０４に対する各種データの読み出し又は書き込みを制御するＨＤＤ（Ｈａｒｄ  Ｄｉｓｋ  Ｄｒｉｖｅ）２０５、フラッシュメモリ等の記録メディア２０６に対するデータの読み出し又は書き込み（記憶）を制御するメディアドライブ２０７、カーソル、メニュー、ウィンドウ、文字、又は画像などの各種情報を表示するディスプレイ２０８、通信ネットワーク２を利用してデータ伝送をするためのネットワークＩ／Ｆ２０９、文字、数値、各種指示などの入力のための複数のキーを備えたキーボード２１１、各種指示の選択や実行、処理対象の選択、カーソルの移動などを行うマウス２１２、着脱可能な記録媒体の一例としてのＣＤ−ＲＯＭ（Ｃｏｍｐａｃｔ  Ｄｉｓｃ  Ｒｅａｄ  Ｏｎｌｙ  Ｍｅｍｏｒｙ）２１３に対するデータの読み出し又は書き込みを制御するＣＤ−ＲＯＭドライブ２１４、及び、上記各構成要素を図４に示されているように電気的に接続するためのアドレスバスやデータバス等のバスライン２１０を備えている。
【００４３】
なお、上記伝送管理用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００４４】
また、中継装置３０は、上記管理システム５０と同様のハードウェア構成を有しているため、その説明を省略する。但し、ＲＯＭ２０２には、中継装置３０を制御するための中継装置用プログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００４５】
更に、プログラム提供システム９０は、上記管理システム５０と同様のハードウェア構成を有しているため、その説明を省略する。但し、ＲＯＭ２０２には、プログラム提供システム９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００４６】
また、メンテナンスシステム１００は、上記管理システム５０と同様のハードウェア構成を有しているため、その説明を省略する。但し、ＲＯＭ２０２には、メンテナンスシステム１００を制御するためのメンテナンス用プログラムが記録されている。この場合も、メンテナンス用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。
【００４７】
なお、上記着脱可能な記録媒体の他の例として、ＣＤ−Ｒ（Ｃｏｍｐａｃｔ  Ｄｉｓｃ  Ｒｅｃｏｒｄａｂｌｅ）、ＤＶＤ（Ｄｉｇｉｔａｌ  Ｖｅｒｓａｔｉｌｅ  Ｄｉｓｋ）、ブルーレイディスク等のコンピュータで読み取り可能な記録媒体に記録して提供するように構成してもよい。
【００４８】
＜＜実施形態の機能構成＞＞
次に、本実施形態の機能構成について説明する。図５は、第１の実施形態の伝送システム１を構成する各端末、装置及びシステムの機能ブロック図である。図５では、端末１０、中継装置３０、及び管理システム５０が、通信ネットワーク２を介してデータ通信することができるように接続されている。また、図１に示されているプログラム提供システム９０、及びメンテナンスシステム１００は、テレビ会議の通信において直接関係ないため、図５では省略されている。
【００４９】
＜端末の機能構成＞
端末１０は、送受信部１１、操作入力受付部１２、ログイン要求部１３、撮像部１４ａ、撮像部１４ｂ、音声入力部１５ａ、音声入力部１５ｂ、音声出力部１６ａ、音声出力部１６ｂ、表示制御部１７、記憶・読出処理部１８、セッション制御部１９、及び宛先リスト作成部２０を有している。これら各部は、図３に示されている各構成要素のいずれかが、ＲＯＭ１０２に記憶されているプログラムに従ったＣＰＵ１０１からの命令によって動作することで実現される機能又は手段である。また、端末１０は、図３に示されているＲＡＭ１０３によって構築される揮発性記憶部１１００、及び図３に示されているフラッシュメモリ１０４によって構築される不揮発性記憶部１０００を有している。
【００５０】
＜端末の各機能部＞
次に、端末の各部を詳細に説明する。
【００５１】
送受信部１１は、図３に示されているネットワークＩ／Ｆ１１１によって実現され、通信ネットワーク２を介して他の端末、装置又はシステムと各種データの送受信を行う。この送受信部１１は、所望の宛先端末と通話を開始する前から、管理システム５０より、宛先候補としての各端末の状態を示す各状態情報の受信を開始する。なお、この状態情報は、各端末１０の稼動状態（ＯＮラインかＯＦＦラインかの状態）だけでなく、ＯＮラインであっても更に通話中であるか、待受け中であるか等の詳細な状態を示す。また、この状態情報は、各端末１０の稼動状態だけでなく、端末１０でケーブルが端末１０から外れていたり、音声を出力するが画像は出力させなかったり、音声を出力さないようにする（ＭＵＴＥ）等、様々な状態を示す。以下では、一例として、状態情報が稼動状態を示す場合について説明する。
【００５２】
送受信部１１が、通信ネットワーク２を介して他の端末、装置又はシステムと送受信する各種データの例について説明する。例えば、送受信部１１は、後述する宛先端末状態一覧画像（図１８（Ｃ）、図２８）からユーザーが宛先端末を指定して通信を開始するときに、開始要求情報を管理システム５０に送信する。開始要求情報には、通常発信による開始要求情報、及び入室発信（配信）による開始要求情報がある。
【００５３】
通常発信による開始要求情報は、任意の端末１０が参加可能な通信（以下、「通話用の通信」という。）の開始を要求する場合に送信する情報である。通常発信による開始要求情報は、要求元端末を識別するための端末ＩＤ、宛先端末を識別するための端末ＩＤ、及び通話用の通信による通話の開始を要求する旨を示す情報「Ｉｎｖｉｔｅ」を含む。
【００５４】
入室発信による開始要求情報は、予め指定された一以上の端末１０が参加可能な通信（以下、「配信用の通信」という。）により行う会議の開始を要求する場合に送信する情報である。入室発信による開始要求情報は、要求元端末を識別するための端末ＩＤ、宛先端末を識別するための端末ＩＤ、及び配信用の通信による通話の開始を要求する旨を示す情報「Ｉｎｖｉｔｅ＋Ｒｏｏｍ」を含む。配信用の通信により行う会議は、会議室ＩＤによって識別される。なお、入室発信による開始要求情報に、端末ＩＤではなく会議室ＩＤを含めることにより、入室発信による開始要求情報から配信用の通信を識別できるようにしてもよい。これにより、管理システム５０の後述の会議管理部５９が、宛先端末の端末ＩＤを検索キーにして、後述の入室管理ＤＢ５００７の端末ＩＤを検索し、検索されたレコードの会議室ＩＤを取得することにより通信に使用する会議室を特定する処理を省略できる。
【００５５】
送受信部１１は、開始要求情報を管理システム５０に送信した後に、通信を識別するためのセッションＩＤ及び中継装置接続情報を管理システム５０から受信する。中継装置接続情報は、通信に使用する中継装置３０に接続するために必要な情報（中継装置３０のＩＰアドレス、ポート番号、及び中継装置３０の接続に必要な認証情報等）である。
【００５６】
また、送受信部１１は、管理システム５０から開始応答情報を受信する。開始応答情報は、宛先端末と通信可能であるか否かを示す情報である。開始応答情報は、宛先端末の端末ＩＤ、当該通信の開始の許可（Ａｃｃｅｐｔ）又は拒否（Ｒｅｊｅｃｔ）を示す情報、及び当該通信を識別するためのセッションＩＤを含む。送受信部１１は、管理システム５０から受信した開始応答情報が、宛先端末と通信可能であることを示す場合、当該通信のセッションＩＤ及び中継装置接続情報を中継装置３０に送信する。
【００５７】
また、送受信部１１は、後述する会議室一覧画像（図１９（Ａ）参照）からユーザーが会議室（会議名）を選択して通信を開始するときに、入室要求を管理システム５０に送信する。入室要求は、要求元端末の端末ＩＤ、配信用の通信による通話の開始を要求する旨を示す情報「Ｉｎｖｉｔｅ＋Ｒｏｏｍ」、及び当該会議室の会議室ＩＤを含む。
【００５８】
操作入力受付部１２は、図３に示されている操作ボタン１０８、及び電源スイッチ１０９によって実現され、利用者による各種入力を受け付ける。例えば、利用者が、図３に示されている電源スイッチ１０９をＯＮにすると、図５に示されている操作入力受付部１２が電源ＯＮを受け付けて、電源をＯＮにする。また、操作入力受付部１２は、後述する宛先端末状態一覧画像（図２８参照）から宛先端末を選択する操作入力を受け付けた場合に、入室発信による開始要求情報、又は通常発信による開始要求情報を、管理システム５０に送信することを送受信部１１に依頼する。また、操作入力受付部１２は、後述する会議室一覧画像（図１９（Ａ）参照）から会議室を選択する操作入力を受け付けた場合に、入室要求を管理システム５０に送信することを送受信部１１に依頼する。
【００５９】
ログイン要求部１３は、図３に示されているＣＰＵ１０１からの命令によって実現され、上記電源ＯＮの受け付けを契機として、送受信部１１から通信ネットワーク２を介して管理システム５０に、認証（ログイン）を要求する旨を示すログイン要求情報、及び要求元としての端末１０の現時点のＩＰアドレスを自動的に送信する。ログイン要求情報は、要求元としての自端末である端末１０を識別するための端末ＩＤ、及び伝送システム１にログインするためのパスワードを含む。また、利用者が電源スイッチ１０９をＯＮの状態からＯＦＦにすると、送受信部１１は、管理システム５０へ、電源をＯＦＦする旨の状態情報を送信してから、操作入力受付部１２が電源を完全にＯＦＦにする。これにより、管理システム５０側では、端末１０が電源ＯＮから電源ＯＦＦになったことを把握することができる。
【００６０】
撮像部１４ａは、図３に示されているＣＰＵ１０１からの命令、並びに図３に示されているカメラ１１２ａ、及び撮像素子Ｉ／Ｆ１１３によって実現され、被写体を撮像して、この撮像して得た画像データを出力する。音声入力部１５ａは、図３に示されている音声入出力Ｉ／Ｆ１１６によって実現され、マイク１１４ａによって利用者の音声が音声信号に変換された後、この音声信号に係る音声データを入力する。音声出力部１６ａは、図３に示されているＣＰＵ１０１からの命令、並びに図３に示されている音声入出力Ｉ／Ｆ１１６によって実現され、音声データに係る音声信号をスピーカ１１５ａに出力し、スピーカ１１５ａから音声を出力させる。
【００６１】
撮像部１４ｂは、図３に示されているＣＰＵ１０１からの命令、並びに図３に示されている外付けカメラ１１２ｂによって実現され、被写体を撮像して、この撮像して得た画像データを出力する。音声入力部１５ｂは、外付けマイク１１４ｂにて利用者の音声が音声信号に変換された後、この音声信号に係る音声データを入力する。音声出力部１６ｂは、図３に示されているＣＰＵ１０１からの命令によって実現され、音声データに係る音声信号を外付けスピーカ１１５ｂに出力し、外付けスピーカ１１５ｂから音声を出力させる。
【００６２】
表示制御部１７は、図３に示されているＣＰＵ１０１からの命令によって実現され、外付けのディスプレイ１２０に画像データを表示するための制御を行う。例えば、表示制御部１７は、後述の宛先端末状態一覧画像（図１８（Ｃ）、図２８参照）や後述の会議室一覧画像（図１９（Ａ）参照）などをディスプレイ１２０に表示する制御を行う。
【００６３】
また、記憶・読出処理部１８は、図３に示されているＣＰＵ１０１からの命令、並びに一例として図３に示すＳＳＤ１０５によって実行され、不揮発性記憶部１０００に各種データを記憶したり、不揮発性記憶部１０００に記憶された各種データを読み出す処理を行う。この不揮発性記憶部１０００には、端末１０を識別するための端末ＩＤ（Ｉｄｅｎｔｉｆｉｃａｔｉｏｎ）、及びパスワード等が記憶される。更に、記憶・読出処理部１８は、揮発性記憶部１１００に各種データを記憶したり、揮発性記憶部１１００に記憶された各種データを読み出す処理も行う。この揮発性記憶部１１００には、宛先端末との通話を行う際に受信される画像データ及び音声データが、受信される度に上書き記憶される。このうち、上書きされる前の画像データによってディスプレイ１２０に画像が表示され、上書きされる前の音声データによってスピーカ１１５ａから音声が出力される。
【００６４】
セッション制御部１９は、他の端末１０との間の通話を行う通話用のセッション（「第１のセッション」の一例）と、音声データを、他の複数の端末１０に伝送する配信用のセッション（「第２のセッション」の一例）を接続する。
【００６５】
セッション制御部１９は、配信用のセッションが接続している間に、通話用のセッションの接続をする場合、配信用のセッションにおける音声データの伝送を停止する。例えば、セッションの状態と、当該セッションの種別を記憶しておき、配信用のセッションが接続している間に、通話用のセッションの接続をすることを検知した場合、または管理システム５０からの音声の配信停止要求を受信した場合に、配信用のマイクをミュートする、または配信用のセッションから音声データを除外する。それにより、ハウリングを防ぐとともに、プライベートな通話の内容が配信を受けている端末１０のユーザーに漏えいすることを防ぐことができる。
【００６６】
セッション制御部１９は、通話用のセッションを接続できない場合、または通話用のセッションの宛先の端末１０からの録画要求を受信した場合、映像、音声等のコンテンツデータを記録し、記録したコンテンツデータを、送受信部１１を用いて、管理システム５０を介して、当該通話用のセッションの宛先の端末１０へ伝送する。
【００６７】
セッション制御部１９は、配信用のセッションに接続し、コンテンツの配信を受けている間に、通話用のセッションの接続要求を受信し、ユーザーからの応答操作等に基づいて応答する際、または管理システム５０から配信用のセッションからの離脱（退出）を要求された場合に、配信用のセッションから離脱する。
【００６８】
なお、本実施形態の端末ＩＤ、及び後述の中継装置ＩＤは、それぞれ端末１０、及び中継装置３０を一意に識別するための識別情報である。識別情報は、言語、文字、記号、又は各種のしるし等である。また、端末ＩＤ、及び中継装置ＩＤは、上記言語、文字、記号、及び各種のしるしのうち、少なくとも２つが組み合わされた識別情報であってもよい。なお、セッションＩＤ及び会議室ＩＤについても同様である。
【００６９】
宛先リスト作成部２０は、後述する「複数セッション許可フラグ」の情報、宛先リスト情報、状態情報及び会議室存在情報に基づいて宛先リスト（宛先端末状態一覧情報）を作成する。
【００７０】
宛先リスト作成部２０は、宛先リストにおいて、着信ができない稼動状態の宛先の端末１０に対しては、発信ができないことを示す情報を表示させる。例えば、宛先リスト作成部２０は、稼動状態が「ＯＮライン（通話中）」、「ＯＦＦライン」である端末１０に発信するボタンは押下できないようにリストを作成する。一方、稼働状態が「ＯＮライン（通話可能）」、「ＯＮライン（伝送中）」である端末１０に発信するボタンは押下できるようにリストを作成する。
【００７１】
宛先リスト作成部２０は、端末１０が複数のセッションを並行して接続できない場合であり、かつ、端末１０が配信用のセッションまたは通話用のセッションを接続している場合は、宛先リストにおいて、宛先の各端末１０への発信ができないことを示す情報を表示させる。具体的には、管理システム５０から通知された「複数セッション許可フラグ」の情報がオンでない場合に、端末１０が複数のセッションを並行して接続できない場合であると判断する。
【００７２】
宛先リスト作成部２０は、表示制御部１７を用いて、作成した宛先リストを画面に表示させる（図１８（Ｃ）、図２８参照）。
【００７３】
（中継装置の機能構成）
次に、中継装置３０の機能又は手段について説明する。中継装置３０は、送受信部３１、状態検知部３２及び記憶・読出処理部３３を有している。これら各部は、図４に示されている各構成要素のいずれかが、ＲＯＭ２０２に記憶されているプログラムに従ったＣＰＵ２０１からの命令によって動作することで実現される機能又は手段である。また、中継装置３０は、図４に示されているＨＤ２０４により構築され、中継装置３０の電源をＯＦＦにしても各種データや情報の記憶が維持される不揮発性記憶部３０００を有している。
【００７４】
＜中継装置の各機能部＞
次に、中継装置３０の各機能構成について詳細に説明する。なお、以下では、中継装置３０の各部を説明するにあたって、図４に示されている各構成要素のうち、中継装置３０の各部を実現させるための主な構成要素との関係も説明する。
【００７５】
図５に示されている中継装置３０の送受信部３１は、図４に示されているネットワークＩ／Ｆ２０９によって実現され、通信ネットワーク２を介して他の端末、装置、又はシステムと各種データ（または情報）の送受信を行う。例えば、送受信部３１は、端末１０からセッションＩＤ及び中継装置接続情報を受信する。
【００７６】
状態検知部３２は、図４に示されているＣＰＵ２０１からの命令によって実現され、この状態検知部３２を有する中継装置３０の稼動状態を検知する。稼動状態としては、「ＯＮライン」、「ＯＦＦライン」、又は「故障中」の状態がある。状態検知部３２は、送受信部３１を介して稼動状態を管理システム５０に送信する。
【００７７】
記憶・読出処理部３３は、不揮発性記憶部３０００に各種データを記憶したり、不揮発性記憶部３０００に記憶された各種データを読み出す処理を行う。
【００７８】
＜管理システムの機能構成＞
次に、管理システム５０の機能又は手段について説明する。まず、管理システム５０に記憶されている情報について説明する。管理システム５０は、図４に示されているＨＤ２０４により構築され、管理システム５０の電源をＯＦＦにしても各種データや情報の記憶が維持される不揮発性記憶部５０００を有している。更に、管理システム５０は、図４に示されているＲＡＭ２０３によって構築される揮発性記憶部５１００を有している。
【００７９】
（中継装置管理テーブル）
不揮発性記憶部５０００には、図６に示されているような中継装置管理テーブルによって構成されている中継装置管理ＤＢ５００１が構築されている。この中継装置管理テーブルでは、各中継装置３０の中継装置ＩＤ毎に、各中継装置３０の稼動状態、稼動状態が示される状態情報が管理システム５０で受信された受信日時、中継装置３０のＩＰアドレス、及び中継装置３０における最大データ伝送速度（Ｍｂｐｓ）が関連付けられて管理される。例えば、図６に示されている中継装置管理テーブルにおいて、中継装置ＩＤが「１１１ａ」の中継装置３０ａは、稼動状態が「ＯＮライン」で、管理システム５０で状態情報が受信された日時が「２００９年１１月１０日の１３時００分」で、この中継装置３０ａのＩＰアドレスが「１．２．１．２」で、この中継装置３０ａにおける最大データ伝送速度が１００Ｍｂｐｓであることが示されている。
【００８０】
（端末認証管理テーブル）
更に、不揮発性記憶部５０００には、図７に示されているような端末認証管理テーブルによって構成されている端末認証管理ＤＢ５００２が構築されている。この端末認証管理テーブルでは、管理システム５０によって管理される全ての端末１０の端末ＩＤ毎に、伝送システム１にログインするためのパスワードが関連付けられて管理される。例えば、図７に示されている端末認証管理テーブルにおいて、端末１０ａａの端末ＩＤは「０１ａａ」で、パスワードは「ａａａａ」であることが示されている。端末認証管理テーブルの情報は、ユーザーや管理システム５０の管理者が予め登録しておく。
【００８１】
（端末管理テーブル）
また、不揮発性記憶部５０００には、図８に示されているような端末管理テーブルによって構成されている端末管理ＤＢ５００３が構築されている。この端末管理テーブルでは、各端末１０の端末ＩＤ毎に、各端末１０を宛先とした場合の端末名、各端末１０の稼動状態、ログイン要求情報が管理システム５０で受信された受信日時、端末１０のＩＰアドレス、複数のセッションを並行して接続できるか否かを示す情報である複数セッション許可フラグ、及び限外接続しているセッションの数であるセッション数が関連付けられて管理される。例えば、図８に示されている端末管理テーブルにおいて、端末ＩＤが「０１ａａ」の端末１０ａａは、端末名が「ＡＡ保育園  ＡＡ端末」で、稼動状態が「ＯＮライン（通話可能）」で、管理システム５０でログイン要求情報が受信された日時が「２００９年１１月１０日の１３時４０分」で、この端末１０ａａのＩＰアドレスが「１．２．１．３」であることが示されている。
【００８２】
（宛先リスト管理テーブル）
更に、不揮発性記憶部５０００には、図９に示されているような宛先リスト管理テーブルによって構成されている宛先リスト管理ＤＢ５００４が構築されている。この宛先リスト管理テーブルでは、要求元端末ＩＤ毎に宛先端末ＩＤが関連付けられて管理される。要求元端末ＩＤは、通話の開始を要求する要求元端末を識別するための情報である。宛先端末ＩＤは、通話の開始を要求する要求元端末の通信の宛先端末の候補となる宛先端末を識別するための情報である。この宛先端末の候補は、要求元端末から管理システム５０に対する追加又は削除の要請により、追加又は削除されることで更新される。例えば、図９に示されている宛先リスト管理テーブルにおいて、端末ＩＤが「０１ａａ」である要求元端末（端末１０ａａ）からテレビ会議における通話の開始を要求することができる宛先端末の候補は、端末ＩＤが「０１ａｂ」の端末１０ａｂ、端末ＩＤが「０１ｂａ」の端末１０ｂａ、及び端末ＩＤが「０１ｂｂ」の端末１０ｂｂ、端末ＩＤが「０１ｃａ」の端末１０ｃａ及び端末ＩＤが「０１ｄｂ」の端末１０ｄｂであることが示されている。
【００８３】
（セッション管理テーブル）
また、この不揮発性記憶部５０００には、図１０に示されているようなセッション管理テーブルによって構成されているセッション管理ＤＢ５００５が構築されている。このセッション管理テーブルでは、端末間の通信を識別するためのセッションＩＤ毎に、画像データ及び音声データの中継に使用される中継装置３０の中継装置ＩＤ、要求元端末の端末ＩＤ及び宛先端末の端末ＩＤが関連付けられて管理される。なお、要求元端末の端末ＩＤ及び宛先端末の端末ＩＤが同じ場合は、当該要求元端末からの画像データ及び音声データを配信するためのセッションであり、配信を受ける端末１０がまだ存在しないことを示している。例えば、図１０に示されているセッション管理テーブルにおいて、セッションＩＤ「ｓｅ１」を用いて実行されたセッションで選択された中継装置３０ｅ（中継装置ＩＤ「１１１ｅ」）は、端末ＩＤが「０１ａａ」の要求元端末（端末１０ａａ）の画像データ及び音声データを配信していることが示されている。また、セッションＩＤ「ｓｅ２」を用いて実行されたセッションで選択された中継装置３０ｅ（中継装置ＩＤ「１１１ｅ」）は、端末ＩＤが「０１ａａ」の要求元端末（端末１０ａａ）と、端末ＩＤが「０１ａｂ」の宛先端末（端末１０ａｂ）との間で、画像データ及び音声データを中継していることが示されている。
【００８４】
（中継装置選択管理テーブル）
更に、不揮発性記憶部５０００には、図１１に示されているような中継装置選択管理テーブルによって構成されている中継装置選択管理ＤＢ５００６が構築されている。この品質管理テーブルでは、管理システム５０によって管理される全ての端末１０の各端末ＩＤに対して、画像データ及び音声データの中継に使用される中継装置３０の中継装置ＩＤが関連付けられて管理される。
【００８５】
（入室管理テーブル）
更に、不揮発性記憶部５０００には、図１２に示されているような入室管理テーブルによって構成されている入室管理ＤＢ５００７が構築されている。この入室管理テーブルは、指定された一以上の端末１０が参加できる配信用の通信により行う会議（配信）毎に、会議を識別するための会議室ＩＤと、指定された一以上の端末１０の端末ＩＤとが関連付けて記憶される。なお、図１２の例では、会議室ＩＤ「１」では、先頭の端末（端末ＩＤ「０１ａａ」）からのコンテンツデータが、他の端末（端末ＩＤ「０１ａｂ」、「０１ｅ１」、「０１ｅ２」、・・・）に配信されていることを示している。
【００８６】
（会議室管理テーブル）
更に、不揮発性記憶部５０００には、図１３に示されているような会議室管理テーブルによって構成されている会議室管理ＤＢ５００８が構築されている。この会議室管理テーブルは、指定された一以上の端末１０が参加できる配信用の通信により行う会議毎に、会議を識別するための会議室ＩＤと、会議名と、当該会議室ＩＤにより識別される配信用の通信のセッションＩＤとが関連付けて記憶される。会議室ＩＤは、仮想的に作成された会議室又は開催される会議を識別するための会議識別情報である。
【００８７】
（管理システムの各機能部）
次に、管理システム５０の各機能部について詳細に説明する。なお、以下では、管理システム５０の各部を説明するにあたって、図４に示されている各構成要素のうち、管理システム５０の各部を実現させるための主な構成要素との関係も説明する。管理システム５０は、送受信部５１、端末認証部５２、状態管理部５３、端末抽出部５４、端末状態取得部５５、中継装置選択部５６、セッション管理部５７、セッション制御部５８、会議管理部５９及び記憶・読出処理部６０を有している。これら各部は、図４に示されている各構成要素のいずれかが、ＲＯＭ２０２に記憶されているプログラムに従ったＣＰＵ２０１からの命令によって動作することで実現される機能又は手段である。
【００８８】
送受信部５１は、図４に示されているネットワークＩ／Ｆ２０９によって実行され、通信ネットワーク２を介して他の端末、装置又はシステムと各種データの送受信を行う。
【００８９】
例えば、送受信部５１は、後述する宛先端末状態一覧画像（図１８（Ｃ）、図２８）から、端末１０のユーザーが宛先端末を指定して通信を開始するときに、入室発信による開始要求情報又は通常発信による開始要求情報を端末１０から受信する。
【００９０】
また、送受信部５１は、端末１０から開始要求情報を受信した後に、通信を識別するためのセッションＩＤ及び中継装置接続情報を当該端末１０に送信する。
【００９１】
また、送受信部５１は、通信の要求元の端末１０から開始要求情報を受信した後に、当該通信の宛先の端末１０に、当該開始要求情報、中継装置接続情報、及び管理システム５０のＩＰアドレスを送信する。
【００９２】
また、送受信部５１は、通信の宛先の端末１０から開始応答情報を受信した後に、通信の要求元の端末１０に当該開始応答情報を送信する。
【００９３】
端末認証部５２は、送受信部５１を介して受信されたログイン要求情報に含まれている端末ＩＤ及びパスワードを検索キーとし、不揮発性記憶部５０００の端末認証管理テーブル（図７参照）を検索し、端末認証管理テーブルに同一の端末ＩＤ及びパスワードが管理されているかを判断することによって端末認証を行う。
【００９４】
状態管理部５３は、ログイン要求してきた要求元端末の稼動状態を管理すべく、端末管理テーブル（図８参照）に、この要求元端末の端末ＩＤ、要求元端末の端末名、要求元端末の稼動状態、管理システム５０がログイン要求情報を受信した受信日時、及び要求元端末のＩＰアドレスを関連付けて記憶して管理する。
【００９５】
このうち、状態管理部５３は、端末１０の状態が変更されたことを示す情報を端末１０から受信した場合に、端末管理テーブル（図８参照）の当該端末１０の状態情報を設定（変更）する。例えば、端末１０の利用者が端末１０の電源スイッチ１０９をＯＦＦの状態からＯＮにすると、当該端末１０は、電源をＯＮにする旨の状態情報を管理システム５０に送信する。状態管理部５３は、送受信部５１を介して当該状態情報を受信したときに、端末管理テーブル（図８参照）の当該端末１０の稼動状態を「ＯＦＦライン」から「ＯＮライン（通話可能）」に変更する。また、利用者が端末１０の電源スイッチ１０９をＯＮの状態からＯＦＦにすると、当該端末１０は、電源をＯＦＦにする旨の状態情報を管理システム５０に送信する。状態管理部５３は、送受信部５１を介して当該状態情報を受信したときに、端末管理テーブル（図８参照）の当該端末１０の稼動状態を「ＯＮライン（通話可能）」から「ＯＦＦライン」に変更する。
【００９６】
状態管理部５３は、端末１０の状態が変更されたことを示す情報を端末１０から受信した場合、当該端末１０を宛先とする他の各端末１０に、変更後の稼働状態を通知する。それにより、当該他の各端末１０にて表示される宛先端末状態一覧画像（図１８（Ｃ）、図２８参照）において、状態が変更された端末１０の稼動状態の表示が更新される。
【００９７】
具体的には、状態管理部５３は、状態が変更された端末１０の端末ＩＤを検索キーとして、宛先リスト管理テーブル（図９参照）の宛先端末ＩＤを検索し、状態が変更された端末１０を宛先とする他の各端末１０を抽出する。そして、抽出した他の各端末１０に、状態が変更された端末１０の稼動状態を通知する。
【００９８】
端末抽出部５４は、ログイン要求した要求元端末の端末ＩＤを検索キーとして、宛先リスト管理テーブル（図９参照）の要求元端末ＩＤを検索し、検索されたレコードの宛先端末ＩＤを抽出する。端末抽出部５４は、抽出した宛先端末ＩＤにより識別される端末１０を、要求元端末と通話することができる宛先端末の候補として抽出する。
【００９９】
端末状態取得部５５は、上記端末抽出部５４によって抽出された宛先端末の候補の端末ＩＤ毎に、当該端末ＩＤを検索キーとして、端末管理テーブル（図８参照）の端末ＩＤを検索し、検索されたレコードの稼動状態を読み出す。これにより、端末状態取得部５５は、ログイン要求してきた要求元端末と通話することができる宛先端末の候補の稼動状態を取得することができる。
【０１００】
中継装置選択部５６は、端末間で通話データが通信されるセッションを識別するためのセッションＩＤを生成する。中継装置選択部５６は、要求元端末から送られてきた開始要求情報に含まれている要求元端末の端末ＩＤ、及宛先端末の端末ＩＤに基づいて、中継装置選択管理テーブル（図１１参照）を検索することにより、対応するそれぞれの中継装置ＩＤを抽出する。中継装置選択部５６は、中継装置管理テーブル（図６参照）で管理されている中継装置３０のうち、稼動状態が「ＯＮライン」となっている中継装置３０の中継装置ＩＤを選択することにより、中継装置３０の選択を行う。
【０１０１】
セッション管理部５７は、一の端末からのコンテンツデータを他の１以上の端末に伝送する配信用のセッションと、複数の端末の間で双方向でコンテンツデータを伝送する通話用のセッションとを管理する。具体的には、セッション管理部５７は、不揮発性記憶部５０００のセッション管理テーブル（図１０参照）に、セッションＩＤ生成部５６ａで生成されたセッションＩＤ、要求元端末の端末ＩＤ、及び宛先端末の端末ＩＤを関連付けて記憶して管理する。また、セッション管理部５７は、セッション管理テーブルに対して、セッションＩＤ毎に、選択された中継装置３０の中継装置ＩＤを記憶して管理する。また、セッション管理部５７は、会議室ＩＤにより識別される配信用の通信のセッションＩＤを、会議室管理テーブルの当該会議室ＩＤに関連付けて記憶する。
【０１０２】
セッション制御部５８は、セッション管理処理を行う。このセッション管理処理において、セッション制御部５８は、端末１０が配信用のセッションを接続（確立）している間に、当該端末１０からの接続要求（発信）または当該端末１０への接続要求（着信）があった場合、端末管理ＤＢ５００３が管理している情報に基づいて、当該接続要求を許可するか否かを判断する。セッション制御部５８は、許可すると判断した場合、宛先の端末１０へ、接続要求を転送する。許可しない場合、接続要求を拒否し、要求元の端末１０にエラーを返す。なお、セッション管理処理の詳細例は後述する。
【０１０３】
セッション制御部５８は、宛先の端末１０から接続要求への応答を受信した際、または宛先の端末１０への接続要求を受信した際に、端末管理ＤＢ５００３が管理している情報に基づいて、宛先の端末１０が複数のセッションを並行して接続できるか判断する。セッション制御部５８は、宛先の端末１０が複数のセッションを並行して接続できない場合、宛先の端末１０が別のセッションに接続している場合は、当該宛先の端末１０を、当該別のセッションから離脱させる。なお、その場合、セッション制御部５８は、宛先の端末１０が別のセッションに接続している場合は、当該宛先の端末１０を、当該別のセッションから離脱させた後、当該宛先の端末１０に接続要求を転送する構成としてもよい。それにより、宛先の端末１０は、一のセッションの接続中に別のセッションに応答できる機能を有する必要がなくなるため、同時に複数のセッションを扱えない通常の端末１０を、宛先の端末１０として利用可能となる。
【０１０４】
セッション制御部５８は、配信元の端末１０が配信用のセッションが接続している間に、当該端末１０を通話用のセッションを接続（確立）する場合、当該配信用のセッションにおいて、当該端末１０からの音声データが伝送されているか判断する。そして、音声データが伝送されている場合、例えば、当該端末１０に、音声データの送信の停止を指示する、または当該配信用のセッションにおいて当該端末１０から送信された音声データの破棄を中継装置３０に指示することにより、音声データの伝送を停止させる。その場合、セッション制御部５８は、当該配信用のセッションに接続している各端末１０に、例えば「現在、配信元が通話中のため、音声の配信は停止しております。」等の、音声データの伝送が停止している旨を音声またはメッセージで通知する。
【０１０５】
会議管理部５９は、不揮発性記憶部５０００の入室管理テーブル（図１２参照）に、会議室ＩＤ、及び端末ＩＤを関連付けて記憶して管理する。また、会議管理部５９は、不揮発性記憶部５０００の会議室管理テーブル（図１３参照）に、会議室ＩＤ、会議名及びセッションＩＤを関連付けて記憶して管理する。
【０１０６】
会議管理部５９は、通信の要求元の端末１０から、送受信部５１を介して、会議室ＩＤにより識別される配信用の通信の開始を示す入室発信開始要求を受信する。入室発信開始要求は、要求元端末の端末ＩＤ及び入室する会議室を特定するための情報（会議室ＩＤ又は宛先端末の端末ＩＤ）を含む。会議管理部５９は、入室発信開始要求に含まれる会議室を特定するための情報から、入室する会議室の会議室ＩＤを特定し、入室発信開始要求に含まれる要求元の端末１０の端末ＩＤが当該会議室ＩＤに関連付けられているか否かを判定する。会議管理部５９は、関連付けられている場合、当該入室発信開始要求に係る配信用の通信のセッション管理処理をセッション管理部５７に依頼する。
【０１０７】
記憶・読出処理部６０（宛先端末情報管理部に相当）は、不揮発性記憶部５０００又は揮発性記憶部５１００に各種データを記憶したり、不揮発性記憶部５０００又は揮発性記憶部５１００に記憶された各種データを読み出す処理を行う。
【０１０８】
＜＜実施形態の処理または動作＞＞
以上が、本実施形態に係る伝送システム１の構成及び機能（又は手段）の説明であり、続いて、図１４乃至図３４を用いて、本実施形態に係る伝送システム１における処理方法を説明する。
【０１０９】
まず、図１４を参照して、実施形態における配信中に通話を行う場合の伝送システム１の動作の概要を説明する。図１４は、配信中に通話を行う場合の伝送システム１のシーケンス図である。図１４の例では、端末１０−１（第１の端末）から、端末１０−２（第２の端末）、１０−３（第３の端末）、・・へ、映像及び音声の少なくとも一方を配信し、配信をしている間に、端末１０−１から端末１０−２へ発信し、通話を行う場合の例である。なお、図１４の例では、説明を簡易にするため、管理システム５０と中継装置３０を一体として説明しているが、映像や音声等のコンテンツデータの伝送は、中継装置３０を介して行う。
【０１１０】
配信元の端末１０−１は、管理システム５０に、所定の会議室ＩＤを指定して配信用のセッションの開始を要求する（ステップＳ１０１）。
【０１１１】
管理システム５０は、配信用のセッションを開始する（ステップＳ１０２）。
【０１１２】
配信元の端末１０−１は、配信用の会議室に入室し、配信用の映像、音声を送信する（ステップＳ１０３）。
【０１１３】
複数の配信先の端末１０−２、１０−３、・・は、所定の会議室ＩＤを指定して、管理システム５０の配信用のセッションに接続し（ステップＳ１０４−１、Ｓ１０４−２）、図示しない中継装置３０を介して、配信元の端末１０−１からの配信用の映像、音声を受信する（ステップＳ１０５−１、Ｓ１０５−２）。
【０１１４】
端末１０−１は、ユーザーからの宛先を指定した通話接続操作に応じて、指定された宛先の端末１０−２への接続要求（開始要求情報）を管理システム５０に送信する（ステップＳ１０６）。なお、通話接続操作の前に、ユーザーからの宛先一覧を要求する操作を受け付け、管理システム５０から取得した宛先一覧の中から、宛先を指定できる構成としてもよい。
【０１１５】
管理システム５０は、セッション管理処理を行い（ステップＳ１０７）、接続要求を宛先の端末１０−２へ転送する（ステップＳ１０８）。なお、セッション管理処理の詳細は後述する。
【０１１６】
宛先の端末１０−２は、接続要求を受信すると、着信処理を行い（ステップＳ１０９）、ユーザーからの応答操作に応じて、管理システム５０へ応答を返す（ステップＳ１１０）。なお、着信処理の詳細は後述する。
【０１１７】
管理システム５０は、端末管理、セッション管理を行う（ステップＳ１１１）。具体的には、端末管理ＤＢ５００３の、要求元の端末１０−１に対応付けられた「セッション数」の値を１増加させる。端末管理ＤＢ５００３の、宛先の端末１０−２に対応付けられた「稼動状態」を「ＯＮライン（通話中）」に変更する。また、セッション管理ＤＢ５００５に、セッションＩＤ、要求元の端末１０−１のＩＤ、宛先の端末１０−２のＩＤ等を記録する。
【０１１８】
管理システム５０は、端末管理ＤＢ５００３の、宛先の端末１０−２に対応付けられた「稼動状態」が「ＯＮライン（伝送中）」であれば、宛先の端末１０−２に、配信用のセッションからの切断を要求する（ステップＳ１１２）。
【０１１９】
宛先の端末１０−２は、配信用のセッションの終了し、管理システム５０に、配信用のセッションからの切断を通知する（ステップＳ１１３）。
【０１２０】
管理システム５０は、配信用のセッションから宛先の端末１０−２を離脱させる（ステップＳ１１４）。
【０１２１】
管理システム５０は、配信用のセッションにおいて、要求元の端末１０−１からの音声データが伝送されている場合、要求元の端末１０−１に、配信用のセッションにおける音声データの送信の停止を指示する（ステップＳ１１５）。
【０１２２】
要求元の端末１０−１は、配信用のセッションにおける音声データの送信を停止する（ステップＳ１１６）。
【０１２３】
管理システム５０は、配信用のセッションに接続している配信先の端末１０−３、・・・に、音声データの配信を停止したことを通知する（ステップＳ１１７）。
【０１２４】
管理システム５０は、宛先の端末１０−２からの応答を要求元の端末１０−１へ転送する（ステップＳ１１８）。
【０１２５】
要求元の端末１０−１は、通話を接続し（ステップＳ１１９）、端末１０−２との間の２者間の通信を開始する（ステップＳ１２０）。
【０１２６】
要求元の端末１０−１は、ユーザーからの通話切断操作に応じて、端末１０−２宛ての切断要求を管理システム５０に送信する（ステップＳ１２１）。
【０１２７】
管理システム５０は、端末管理、セッション管理を行う（ステップＳ１２２）。具体的には、端末管理ＤＢ５００３の、要求元の端末１０−１に対応付けられた「セッション数」の値を１減少させる。端末管理ＤＢ５００３の、宛先の端末１０−２に対応付けられた「稼動状態」を「ＯＮライン（通話可能）」に変更する。また、セッション管理ＤＢ５００５に記録した、当該セッションＩＤ、端末１０−１のＩＤ、端末１０−２のＩＤ等を削除する。管理システム５０は、切断要求を宛先の端末１０−２へ転送する（ステップＳ１２３）。
【０１２８】
宛先の端末１０−２は、端末１０−１との間の２者間の通信を終了する（ステップＳ１２４）。
【０１２９】
次に、図１５を参照して、図１４の配信元の端末１０−１が、配信中に通話を行う際の動作について説明する。図１５は、配信元の端末１０−１が、配信中に通話を行う際の処理のフローチャートである。
【０１３０】
要求元の端末１０−１は、配信用のセッションを開始（確立）し（ステップＳ２０１）、配信用カメラの映像を画面に表示するとともに、当該映像と配信用マイクの音声を配信する（ステップＳ２０２）。
【０１３１】
通話を行うための操作を受け付けると、配信は継続したまま、宛先一覧を表示する（ステップＳ２０３）。
【０１３２】
宛先を指定した発信操作を受け付けると（ステップＳ２０４）、宛先端末１０−２宛てに発信する（ステップＳ２０５）。
【０１３３】
宛先端末１０−２との通話のセッションが開始されると（ステップＳ２０６）、連絡用カメラの映像、連絡用マイクの音声を有効とする（伝送する）とともに（ステップＳ２０７）、ハウリングを防ぐため配信用マイクの音声を無効とする（ステップＳ２０８）。
【０１３４】
通話のセッションが終了すると（ステップＳ２０９）、連絡用カメラの映像、連絡用マイクの音声を無効とし、配信用カメラの映像を表示する画面に戻る（ステップＳ２１０）。
【０１３５】
次に、図１６を参照して、図１４のステップＳ１０７に示す、管理システム５０のセッション管理処理の詳細について説明する。図１６は、セッション管理処理のフローチャートである。
【０１３６】
管理システム５０は、要求元の端末１０−１から、宛先の端末１０−２宛ての接続要求を受信する（ステップＳ３０１）。端末管理ＤＢ５００３を参照し、要求元の端末１０−１に対応付けられた「複数セッション許可フラグ」がオンであるか判断する（ステップＳ３０２）。
【０１３７】
フラグがオンでなければ（ステップＳ３０２でＮＯ）、接続要求を拒否し、要求元の端末１０−１にエラー応答を返す（ステップＳ３０３）。
【０１３８】
フラグがオンであれば（ステップＳ３０２でＹＥＳ）、端末管理ＤＢ５００３を参照し、要求元の端末１０−１に対応付けられた「セッション数」が１以下であるか判断する（ステップＳ３０４）。
【０１３９】
１以下でなければ（ステップＳ３０４でＮＯ）、前述のステップＳ３０３に進み、接続要求を拒否し、要求元の端末１０−１にエラー応答を返す。
【０１４０】
１以下であれば（ステップＳ３０４でＹＥＳ）、端末管理ＤＢ５００３を参照し、宛先の端末１０−２に対応付けられた「稼動状態」が「ＯＮライン（通話可能）」または「ＯＮライン（伝送中）」であるか判断する（ステップＳ３０５）。
【０１４１】
「ＯＮライン（通話可能）」または「ＯＮライン（伝送中）」でなければ（ステップＳ３０５でＮＯ）、前述のステップＳ３０３に進み、接続要求を拒否し、要求元の端末１０−１にエラー応答を返す。
【０１４２】
「ＯＮライン（通話可能）」または「ＯＮライン（伝送中）」であれば（ステップＳ３０５でＹＥＳ）、宛先の端末１０−２に、接続要求を転送する（ステップＳ３０６）。
【０１４３】
次に、図１７を参照して、図１４のステップＳ１０９に示す、宛先の端末１０−２が、配信を受けていたときに通話の着信を受ける際の動作について説明する。図１７は、宛先の端末１０−２の着信処理のフローチャートである。
【０１４４】
宛先の端末１０−２は、要求元の端末１０−１からの接続要求を管理システム５０を介して受信すると（ステップＳ４０１）、既に別の通話（セッション）を行っているか判断する（ステップＳ４０２）。
【０１４５】
別の通話を行っていない場合は（ステップＳ４０２でＮＯ）、着信を報知する（ステップＳ４０３）。なお、その後、応答ボタンが押下された場合は、管理システム５０を介して要求元の端末１０−１に、応答（開始応答情報）を送信する。
【０１４６】
別の通話を行っている場合は（ステップＳ４０２でＹＥＳ）、着信を報知するとともに、応答ボタンと録画ボタンを表示する（ステップＳ４０４）。なお、着信を拒否するためのボタンも表示する構成としてもよい。
【０１４７】
ユーザーによりどのボタンが押下されたか判断し（ステップＳ４０５）、録画ボタンが押下された場合は（ステップＳ４０５で録画ボタン）、管理システム５０を介して要求元の端末１０−１に、録画要求を送信する（ステップＳ４０６）。
【０１４８】
応答ボタンが押下された場合は（ステップＳ４０５で応答ボタン）、管理システム５０を介して要求元の端末１０−１に、応答（開始応答情報）を送信する（ステップＳ４０７）。
【０１４９】
次に、図１８を用いて、図１４の配信元の端末１０−１の画面表示の例について説明する。図１８（Ａ）は、配信機能を起動した際の表示画面の例である。「映像配信」ボタン５０１、「参加者編集」ボタン５０２を表示する。図１８（Ｂ）は、「映像配信」ボタン５０１を押下され、図１４のステップＳ１０３で配信している際の画面表示例である。配信中のカメラ１１２ａの映像を自端末１０のディスプレイ１２０に表示する。また、「連絡」ボタン５０３を表示する。
【０１５０】
図１８（Ｃ）は、「連絡」ボタン５０３を押下された場合の画面表示例である。画面中の上位レイヤーに、宛先一覧が表示される。ユーザーは、この宛先一覧の中から、通話の宛先を選択することができる。なお、図１８（Ｃ）の宛先一覧の画面は、後述する図２８の画面と同様である。図１８（Ｄ）は、図１４のステップＳ１２０で通話をしている際の画面表示例である。相手の映像５０４と、外付けカメラ１１２ｂで撮影した自分の映像５０５が表示される。なお、通話が終了すると、図１８（Ｂ）の画面に戻る。
【０１５１】
次に、図１９を用いて、図１４の配信先の端末１０−２の画面表示の例について説明する。図１９（Ａ）は、配信機能を起動した際の表示画面の例である。配信先の端末１０−２が入室可能な、配信用の会議室（ＡＡ保育園及びＢＡ保育園）を示す情報が表示される。図１９（Ｂ）は、配信用の会議室に入室した際の画面表示例である。配信元の端末１０−１から配信されたコンテンツデータが表示される。
【０１５２】
図１９（Ｃ）は、配信を受けている際に、端末１０−１から通話の着信があった場合の画面表示例である。「応答」ボタン６０１、「録画」ボタン６０２が表示される。
【０１５３】
図１９（Ｄ）は、「応答」ボタン６０１が押下された場合の画面表示例である。相手の映像６０３と、自分の映像６０４が表示される。
【０１５４】
図１９（Ｅ）は、「録画」ボタン６０２が押下された場合の画面表示例である。録画中である旨が表示される。図１９（Ｆ）は、端末１０−１にて録画があった場合の画面表示例である。録画がった旨が表示される。
【０１５５】
次に、図２０を用いて、伝送システム１における画像データ、音声データ、及び各種管理情報の送受信の状態を示した概念を説明する。図２０は、伝送システム１における画像データ、音声データ、及び各種管理情報の送受信の状態を示した概念図である。図２０に示されているように、伝送システム１では、端末１０Ａと端末１０Ｂと端末１０Ｃの間では、管理システム５０を介して、各種の管理情報を送受信するための管理情報用セッションｓｅｉが確立される。また、端末１０Ａと端末１０Ｂと端末１０Ｃの間では、中継装置３０を介して、高解像度の画像データ、中解像度の画像データ、低解像度の画像データ、及び音声データの４つの各データを送受信するための４つのセッションが確立される。ここでは、これら４つのセッションをまとめて、画像・音声データ用セッションｓｅｄとして示している。
【０１５６】
次に、図１４の処理の詳細な例を説明する。なお、図１４の端末１０−１、１０−２、１０−３が、それぞれ１０ａａ、１０ａｂ、１０ｅ１である場合を例として以下に説明する。
【０１５７】
まず、図１４のステップＳ１０１〜ステップＳ１０５の、本実施形態の伝送システム１の会議室（配信室）を用いた配信機能の詳細例について説明する。配信機能は、要求元端末と１以上の宛先端末との間の参加が制限された配信用の通信を行う機能である。まず、配信用の会議室を新規に作成する処理について説明する。
【０１５８】
端末１０の操作入力受付部１２が、会議室の新規作成ボタンの押下を示す操作入力をユーザーから受け付けると、端末１０の表示制御部１７が、会議室新規作成画像を端末１０に表示する。図２１は、会議室を新規に作成する際に表示する会議室新規作成画像を示す図である。
【０１５９】
ここで、ユーザーが配信用アプリケーションを選択し、会議室を新規作成する場合の端末１０及び管理システム５０の処理の流れについて、端末１０ａａのユーザーの場合を例にして説明する。図２２は、会議室の新規作成時の処理を示したシーケンス図である。
【０１６０】
端末１０ａａの操作入力受付部１２は、新規作成ボタンの押下を示す操作入力をユーザーから受け付ける（ステップＳ５０１）。端末１０ａａの送受信部１１は、端末１０ａａの端末ＩＤ「０１ａａ」を含む宛先端末情報取得要求を管理システム５０に送信する（ステップＳ５０２）。
【０１６１】
管理システム５０の端末抽出部５４は、送受信部５１を介して宛先端末情報取得要求を受信する。端末抽出部５４は、宛先端末情報取得要求に含まれる端末１０ａａの端末ＩＤ「０１ａａ」に基づいて、端末１０ａａに関連付けられている宛先端末の宛先端末情報（端末ＩＤ、端末名及び稼動状態）を取得する（ステップＳ５０３）。具体的には、端末抽出部５４は、まず、宛先端末情報取得要求に含まれる端末１０ａａの端末ＩＤ「０１ａａ」を検索キーにして、宛先リスト管理ＤＢ５００４の要求元端末ＩＤを検索し、検索されたレコードの宛先端末ＩＤ（「０１ａｂ」、「０１ｅ１」、「０１ｅ２」、・・・）を取得する。次に、端末抽出部５４は、当該宛先端末ＩＤ（「０１ａｂ」、「０１ｅ１」、「０１ｅ２」、・・・）のそれぞれを検索キーにして、端末管理ＤＢ５００３の端末ＩＤを検索し、検索されたレコードの端末名及び稼動状態を取得する。例えば、端末抽出部５４は、検索キーが「０１ｂａ」の場合は、端末名「ＢＡ端末」と、稼動状態「ＯＮライン（通話可能）」とを端末管理ＤＢ５００３のレコードから取得する。
【０１６２】
次に、端末抽出部５４は、送受信部５１を介してステップＳ５０３で取得した端末ＩＤ、端末名及び稼動状態を含む宛先端末情報を端末１０ａａに送信する（ステップＳ５０４）。端末１０ａａの表示制御部１７は、送受信部１１を介して宛先端末情報を受信する。表示制御部１７は、宛先端末情報の端末ＩＤ、端末名及び稼動状態を含む会議室新規作成画像（図２１参照）を端末１０ａａに表示する。端末１０ａａの操作入力受付部１２は、会議名、及び会議に参加可能な端末１０の選択を示す操作入力を受け付ける（ステップＳ５０５）。端末１０ａａの操作入力受付部１２は、送受信部１１を介して会議名及び会議に参加可能な端末１０の端末ＩＤを含む会議室新規作成情報を管理システム５０に送信する（ステップＳ５０６）。
【０１６３】
次に、管理システム５０の会議管理部５９は、送受信部５１を介して会議室新規作成情報を受信する。会議管理部５９は、会議室新規作成情報に含まれる会議名に対応する会議室ＩＤを新規に作成する。会議管理部５９は、当該会議室ＩＤと当該会議名とを関連付けたレコードを、会議室管理ＤＢ５００８に作成する。また、会議管理部５９は、当該会議室ＩＤと会議室新規作成情報に含まれる端末ＩＤとを関連付けたレコードを、入室管理ＤＢ５００７に作成する（ステップＳ５０７）。
【０１６４】
会議管理部５９は、送受信部５１を介して会議室を新規作成したことを示す会議室情報登録通知を端末１０ａａに送信する（ステップＳ５０８）。端末１０ａａの表示制御部１７は、送受信部１１を介して会議室情報登録通知を受信すると、会議室の登録が完了したことを示す情報を含む登録完了画像を端末１０ａａに表示する（ステップＳ５０９）。
【０１６５】
次に、配信用の会議室の詳細情報の表示と、会議室情報（会議名及び参加可能な端末１０）を編集する場合の端末１０と管理システム５０の処理の流れについて説明する。まず、会議室の詳細情報を示す会議室詳細画像について説明する。図２３は、会議室の詳細情報を示す会議室詳細画像を示す図である。図２３の会議室詳細画像は、会議名、参加可能な端末１０の情報（端末ＩＤ、端末名及び稼動状態）、入室ボタン、編集ボタン及びキャンセルボタンを含む。会議名は、会議室の名称である。参加可能な端末１０の情報（端末ＩＤ、端末名及び稼動状態）は、当該会議に関連付けられている端末１０の情報である。入室ボタンは、当該会議名の会議室を使用して通信を開始するときにユーザーが押下するボタンである。編集ボタンは、当該会議名の会議室の会議室情報（会議名及び参加可能な端末１０）を編集するときにユーザーが押下するボタンである。キャンセルボタンは、会議室一覧画像に戻るときにユーザーが押下するボタンである。
【０１６６】
端末１０の操作入力受付部１２が、編集ボタンの押下を受け付けると、端末１０の表示制御部１７が、会議室編集画像を端末１０に表示する。図２４は、会議室情報を編集する時に表示する会議室編集画像を示す図である。会議室編集画像は、会議名、参加登録可能な端末１０の情報（端末ＩＤ、端末名及び稼動状態）、参加登録可能な端末１０のうち現在指定されている端末１０を示す情報、更新ボタン及びキャンセルボタンを含む。会議名は、会議室の名称である。参加登録可能な端末１０の情報（端末ＩＤ、端末名及び稼動状態）は、会議室情報を編集する端末１０に関連付けられている宛先端末の情報である。参加登録可能な端末１０のうち現在指定されている端末１０を示す情報は、会議名に対応する会議室ＩＤに関連付けられている端末ＩＤにより特定される端末１０を示す情報である。図２４の例では、チェックが付いている端末情報が、参加登録可能な端末１０のうち現在指定されている端末１０を示す情報である。更新ボタンは、編集した会議室情報を確定するときにユーザーが押下するボタンである。キャンセルボタンは、会議室情報の編集をキャンセルし、会議室詳細画像に戻るときにユーザーが押下するボタンである。
【０１６７】
ここで、ユーザーが配信用アプリケーションを選択し、会議室情報を編集する場合の端末１０及び管理システム５０の処理の流れについて、端末１０ａａのユーザーの場合を例にして説明する。図２５は、会議室一覧の表示及び会議室の編集時の処理を示したシーケンス図である。
【０１６８】
ステップＳ５２１〜ステップＳ５２５については、後述する図２６のステップＳ５４１〜ステップＳ５４５と同様であるため説明を省略する。
【０１６９】
次に、端末１０ａａの操作入力受付部１２は、会議室一覧画像に含まれるＡＡ保育園の選択を示す操作入力をユーザーから受け付ける（ステップＳ５２６）。端末１０ａａの送受信部１１は、ＡＡ保育園の会議室ＩＤ「１」を含む宛先端末情報取得要求を管理システム５０に送信する（ステップＳ５２７）。
【０１７０】
管理システム５０の会議管理部５９は、送受信部５１を介して宛先端末情報取得要求を受信する。会議管理部５９は、宛先端末情報取得要求に含まれるＡＡ保育園の会議室ＩＤ「１」に基づいて、会議室ＩＤ「１」に関連付けられている宛先端末の端末ＩＤ（「０１ａｂ」、「０１ｅ１」及び「０１ｅ２」）を取得する。次に、端末抽出部５４は、当該宛先端末ＩＤ（「０１ａｂ」、「０１ｅ１」及び「０１ｅ２」）のそれぞれを検索キーにして、端末管理ＤＢ５００３の端末ＩＤを検索し、検索されたレコードの端末名及び稼動状態を取得する。例えば、端末抽出部５４は、検索キーが「０１ａｂ」の場合は、端末名「ＡＢ端末」と、稼動状態「ＯＦＦライン」とを端末管理ＤＢ５００３のレコードから取得する（ステップＳ５２８）。
【０１７１】
次に、端末抽出部５４は、送受信部５１を介してステップＳ２２８で取得した端末ＩＤ、端末名及び稼動状態を含む宛先端末情報を端末１０ａａに送信する（ステップＳ５２９）。端末１０ａａの表示制御部１７は、送受信部１１を介して宛先端末情報を受信する。表示制御部１７は、宛先端末情報の端末ＩＤ、端末名及び稼動状態を含む会議室詳細画像（図２３参照）を端末１０ａａに表示する（ステップＳ５３０）。次に、端末１０ａａの操作入力受付部１２は、編集ボタンの押下を受け付ける（ステップＳ５３１）。次に、端末１０ａａの送受信部５１は、端末１０ａａの端末ＩＤ「０１ａａ」を含む編集候補宛先端末情報取得要求を管理システム５０に送信する（ステップＳ５３２）。
【０１７２】
管理システム５０の端末抽出部５４は、送受信部５１を介して編集候補宛先端末情報取得要求を受信する。端末抽出部５４は、編集候補宛先端末情報取得要求に含まれる端末１０ａａの端末ＩＤ「０１ａａ」に基づいて、端末１０ａａに関連付けられている宛先端末の宛先端末情報（端末ＩＤ、端末名及び稼動状態）を取得する（ステップＳ５３３）。具体的には、端末抽出部５４は、まず、編集宛先端末情報取得要求に含まれる端末１０ａａの端末ＩＤ「０１ａａ」を検索キーにして、宛先リスト管理ＤＢ５００４の要求元端末ＩＤを検索し、検索されたレコードの宛先端末ＩＤ（「０１ａｂ」、「０１ｅ１」、「０１ｅ２」、・・・）を取得する。次に、端末抽出部５４は、当該宛先端末ＩＤ（「０１ａｂ」、「０１ｅ１」、「０１ｅ２」、・・・）のそれぞれを検索キーにして、端末管理ＤＢ５００３の端末ＩＤを検索し、検索されたレコードの端末名及び稼動状態を取得する。例えば、端末抽出部５４は、検索キーが「０１ａｂ」の場合は、端末名「ＡＢ端末」と、稼動状態「ＯＦＦライン」とを端末管理ＤＢ５００３のレコードから取得する。
【０１７３】
次に、端末抽出部５４は、送受信部５１を介してステップＳ２３３で取得した端末ＩＤ、端末名及び稼動状態を含む編集候補宛先端末情報（宛先端末状態情報）を端末１０ａａに送信する（ステップＳ５３４）。端末１０ａａの表示制御部１７は、送受信部１１を介して編集候補宛先端末情報を受信すると、編集候補宛先端末情報を含むＡＡ保育園の会議室編集画像（図２４参照）を端末１０ａａに表示する（ステップＳ５３５）。図２４の会議室編集画像において、チェックの付いている宛先端末情報が、現在指定されている宛先端末の宛先端末情報であり、チェックの付いていない宛先端末情報が、端末１０ａａが指定可能な宛先端末の宛先端末情報である。
【０１７４】
端末１０ａａの操作入力受付部１２は、ＡＡ保育園の会議室情報（会議名及び参加可能な端末１０）の編集に係る操作入力を受け付ける（ステップＳ５３６）。端末１０ａａの操作入力受付部１２が更新ボタンの押下を受け付けると、送受信部１１は、会議室ＩＤ、会議名、端末ＩＤ、並びに当該端末ＩＤの追加又は削除を示す情報を含む会議室編集情報を管理システム５０に送信する（ステップＳ５３７）。
【０１７５】
次に、管理システム５０の会議管理部５９は、送受信部５１を介して会議室編集情報を受信する。会議管理部５９は、会議室編集情報に含まれる会議室ＩＤと端末ＩＤとの組み合わせについて、当該端末ＩＤの追加又は削除を示す情報に応じて、入室管理ＤＢ５００７のレコードの追加又は削除を行う。また、会議管理部５９は、会議室編集情報に含まれる会議室ＩＤを検索キーにして、会議室管理ＤＢ５００８の会議室ＩＤを検索し、検索されたレコードの会議名を会議室編集情報に含まれる会議名により更新する（ステップＳ５３８）。
【０１７６】
会議管理部５９は、送受信部５１を介して会議室情報の更新が終了したことを示す会議室情報更新通知を端末１０ａａに送信する（ステップＳ５３９）。端末１０ａａの表示制御部１７は、送受信部１１を介して会議室情報更新通知を受信すると、会議室の更新が完了したことを示す情報を含む更新完了画像を端末１０ａａに表示する（ステップＳ５４０）。
【０１７７】
次に、会議室を使用した通信を開始する場合の端末１０及び管理システム５０の処理について説明する。実施形態では、会議室に最初に入室した端末１０からのコンテンツデータが、後から会議室に入室した各端末１０に配信される。
【０１７８】
まず、会議室一覧画像から会議名を選択して会議室に入室する（当該会議名の会議室を使用して通信を開始する）場合について説明する。
【０１７９】
図２６は、図１４のステップＳ１０４で、配信用の会議室に入室するときの処理を示したシーケンス図である。
【０１８０】
端末１０ａｂの操作入力受付部１２は、配信用アプリケーションを選択する操作入力を受け付ける（ステップＳ５４１）。次に、端末１０ａｂの送受信部１１は、端末１０ａｂの端末ＩＤ「０１ａｂ」を含む会議名一覧取得要求を管理システム５０に送信する（ステップＳ５４２）。
【０１８１】
次に、管理システム５０の会議管理部５９は、送受信部５１を介して会議名一覧取得要求を受信する。会議管理部５９は、会議室一覧取得要求に含まれる端末１０ａｂの端末ＩＤ「０１ａｂ」に基づいて、端末１０ａｂの端末ＩＤ「０１ａｂ」に関連する会議室の会議室ＩＤ及び会議室名を取得する（ステップＳ５４３）。具体的には、会議管理部５９は、まず、会議室一覧取得要求に含まれる端末１０ａｂの端末ＩＤ「０１ａｂ」を検索キーにして、入室管理ＤＢ５００７のレコードを検索し、検索されたレコードの会議室ＩＤ（１及び２）を取得する。次に、会議管理部５９は、会議室管理ＤＢ５００８を参照して当該会議室ＩＤ（１及び２）の会議室名（ＡＡ保育園及びＢＡ保育園）を取得する。
【０１８２】
次に、会議管理部５９は、送受信部５１を介してステップＳ５４３で取得した会議室ＩＤ及び会議室名を含む会議室一覧情報を端末１０ａｂに送信する（ステップＳ５４４）。端末１０ａｂの表示制御部１７は、送受信部１１を介して会議室一覧情報を受信する。端末１０ａｂの表示制御部１７は、会議室一覧情報の会議室名を含む会議室一覧画像を端末１０ａｂに表示する（ステップＳ５４５）。
【０１８３】
ステップＳ５４６〜ステップＳ５５０は、図２５のステップＳ５２６〜ステップＳ５３０と同じであるため説明を省略する。
【０１８４】
端末１０（要求元端末）の操作入力受付部１２は、会議室の選択操作入力を受け付ける（ステップＳ５５１）。次に、端末１０の送受信部１１は、入室ボタンを押下した要求元端末の端末ＩＤと、配信用の通信による通話の開始を要求する旨を示す情報「Ｉｎｖｉｔｅ＋Ｒｏｏｍ」と、当該会議室の会議室ＩＤとを含む入室要求を管理システム５０に送信する（ステップＳ５５２）。管理システム５０の会議管理部５９は、送受信部５１を介して入室要求を受信する。会議管理部５９は、入室要求に含まれる会議室ＩＤと端末ＩＤとの組み合わせと一致するレコードが、入室管理ＤＢ５００７にあるか否かを判定する（ステップＳ５５３）。
【０１８５】
会議管理部５９は、ステップＳ２５３の判定結果に応じた処理を行う（ステップＳ５５４）。図２７は、入室判定の結果に応じた処理を示すフローチャートである。
【０１８６】
入室要求に含まれる会議室ＩＤと端末ＩＤとの組み合わせと一致するレコードが、入室管理ＤＢ５００７になく、管理システム５０の会議管理部５９の入室判定の結果が、入室ＯＫでない場合（ステップＳ５５４−１、Ｎｏ）、送受信部５１は、入室不可を示すエラー情報を、入室要求を送信した要求元端末に送信する（ステップＳ５５４−７）。
【０１８７】
入室要求に含まれる会議室ＩＤと端末ＩＤとの組み合わせと一致するレコードが、入室管理ＤＢ５００７にあり、管理システム５０の会議管理部５９の入室判定の結果が、入室ＯＫである場合（ステップＳ５５４−１、Ｙｅｓ）、ステップＳ５５４−２の処理に進む。
【０１８８】
セッション管理部５７は、入室要求に含まれる会議室ＩＤにより特定される会議室を使用した通信が既に行われているか否か（セッションが既に確立しているか否か）を判定する（ステップＳ５５４−２）。具体的には、セッション管理部５７は、入室要求に含まれる会議室ＩＤを検索キーにして、会議室管理ＤＢ５００８を検索し、検索されたレコードのセッションＩＤフィールドに、セッションＩＤが設定されているか否かを判定する。すなわち、セッション管理部５７は、検索されたレコードのセッションＩＤフィールドに、セッションＩＤが設定されている場合、セッションが既に確立していることを判定する。
【０１８９】
セッションが既に確立している場合（ステップＳ５５４−２、Ｙｅｓ）、当該セッションＩＤを検索キーにして、セッション管理ＤＢ５００５を検索し、検索されたレコードの宛先端末ＩＤフィールドに、入室要求に含まれる要求元端末の端末ＩＤを追加し、端末管理ＤＢ５００３に、入室要求に含まれる端末ＩＤと対応付けれた稼働状態を「ＯＮライン（伝送中）」に設定し（ステップＳ５５４−３）、ステップＳ５５４−６に進む。
【０１９０】
セッション管理部５７は、セッションＩＤを新規に作成し、セッション管理ＤＢ５００５にレコードを新規に作成する（ステップＳ５５４−４）。なお、セッションＩＤの新規作成に係る具体的な処理については、図２０のステップＳ４３〜ステップＳ４５と同様であるが、ステップＳ４５において、宛先端末ＩＤフィールドに、要求元端末ＩＤフィールドの値と同じ値を設定する点が異なる。
【０１９１】
次に、会議管理部５９は、入室要求に含まれる会議室ＩＤを検索キーにして、会議室管理ＤＢ５００８を検索し、検索されたレコードのセッションＩＤフィールドに、ステップＳ５５４−４で新規に作成したセッションＩＤを設定する（ステップＳ５５４−５）。
【０１９２】
次に、送受信部５１は、セッションＩＤと中継装置接続情報（中継装置３０のＩＰアドレス、認証情報、及びポート番号等）とを入室要求を送信した要求元端末に送信する（ステップＳ５５４−６）。以上の処理により、要求元端末が中継装置と接続する処理が終了する。次に、要求元端末が、中継要求情報を管理システム５０に送信し、通話データの中継を要求する処理（図２３、ステップＳ６１−１〜ステップＳ６５−１参照）を開始する。これにより、会議室一覧に含まれる会議名の選択をユーザーから受け付けることにより入室要求を送信した要求元端末が、当該会議室を使用した配信用の通信を開始する。
【０１９３】
次に、図２８及び図２９を用いて、宛先端末状態一覧情報を含む画像（宛先端末状態一覧画像）を、端末１０ａａに表示する処理について説明する。なお、図１４のステップＳ１０６で、接続要求をする際に、図１８（Ｃ）の宛先一覧を管理システム５０から取得する処理も、以下に示す端末１０の起動時に宛先一覧を管理システム５０から取得する処理と同様である。
【０１９４】
図２８は、宛先端末状態一覧情報を含む画像を示す図である。宛先端末状態一覧画像は、通信の要求元端末に関連付けられた宛先端末を示す情報と、宛先端末に会議室が関連付けられているか否かを示す情報（画像１５００）とを含む宛先端末状態情報を一以上含む宛先端末状態一覧情報を示す画像である。画像１５００がある宛先端末情報は、当該宛先端末が参加できる配信用の通信（仮想的な会議室）が管理システム５０に登録されていることを示す。また、図２８の宛先端末状態一覧画像の例では、宛先端末の稼動状態を示す稼動状態情報（画像１５０１、画像１５０２、画像１５０３、画像１５０４）も示している。画像１５０１は、当該宛先端末が「ＯＮライン（通話可能）」であることを示す。画像１５０２は、当該宛先端末が「ＯＮライン（通話中）」であることを示す。画像１５０３は、当該宛先端末が「ＯＦＦライン」であることを示す。画像１５０４は、当該宛先端末が「ＯＮライン（伝送中）」であることを示す。
【０１９５】
図２８の例では、稼動状態が「ＯＮライン（通話中）」、「ＯＦＦライン」である端末（「０１ｅ２」、「０１ｅ３」）の宛先ボタン１５０５は押下できないよう、例えばグレーアウトして表示されている。それにより、ユーザは、宛先の端末が着信可能か否かを宛先一覧の画面にて確認できる。一方、稼働状態が「ＯＮライン（通話可能）」、「ＯＮライン（伝送中）」である端末（「０１ａｂ」、「０１ｅ３」）の宛先ボタン１５０５を押下することにより、通話の発信ができる。  図２９は、宛先端末状態一覧情報を含む画像を、端末に表示する処理を示したシーケンス図である。なお、図２９において、端末１０と管理システム５０との間の通信は、全て管理情報用セッションｓｅｉを使用して行われる。
【０１９６】
まず、端末１０ａａの利用者が、図３に示されている電源スイッチ１０９をＯＮにすると、図５に示されている操作入力受付部１２が電源ＯＮを受け付けて、電源をＯＮにする（ステップＳ２１）。そして、ログイン要求部１３は、上記電源ＯＮの受信を契機とし、送受信部１１から通信ネットワーク２を介して管理システム５０に、ログイン要求を示すログイン要求情報を自動的に送信する（ステップＳ２２）。このログイン要求情報には、要求元としての自端末である端末１０ａａを識別するための端末ＩＤ、及びパスワードが含まれている。これら端末ＩＤ、及びパスワードは、記憶・読出処理部１８を介して不揮発性記憶部１０００から読み出されて、送受信部１１に送られたデータである。なお、端末１０ａａから管理システム５０へログイン要求情報が送信される際は、受信側である管理システム５０は、送信側である端末１０ａａのＩＰアドレスを把握することができる。
【０１９７】
次に、管理システム５０の端末認証部５２は、送受信部５１を介して受信したログイン要求情報に含まれている端末ＩＤ及びパスワードを検索キーとして、不揮発性記憶部５０００の端末認証管理テーブル（図７参照）を検索し、端末認証管理ＤＢ５００２に検索キーと一致する端末ＩＤ及びパスワードがあるか否かを判定することによって端末認証を行う（ステップＳ２３）。
【０１９８】
当該検索キーと一致する端末ＩＤ及びパスワードが、端末認証管理ＤＢ５００２にある場合、状態管理部５３は、当該検索キーの端末ＩＤで端末管理テーブル（図８参照）の端末ＩＤを検索し、検索されたレコードの受信日時フィールドにログイン要求情報を受信した日時を設定する。また、状態管理部５３は、検索されたレコードの端末のＩＰアドレスフィールドに、ログイン要求情報に含まれるＩＰアドレスを記憶する（ステップＳ２４−１）。これにより、図８に示されている端末管理テーブルには、端末ＩＤ「０１ａａ」に、受信日時「２００９．１１．１０．１３：４０」及び端末ＩＰアドレス「１．２．１．３」が関連付けて管理されることになる。
【０１９９】
続いて、状態管理部５３が、検索されたレコードの稼動状態フィールドに端末１０ａａの稼動状態「ＯＮライン（通話可能）」を設定する（ステップＳ２４−２）。これにより、図８に示されている端末管理テーブルには、端末ＩＤ「０１ａａ」に、稼動状態「ＯＮライン（通話可能）」が関連付けて管理されることになる。
【０２００】
そして、管理システム５０の送受信部５１は、上記端末認証部５２によって得られた認証結果が示された認証結果情報を、通信ネットワーク２を介して、上記ログイン要求してきた要求元端末（端末１０ａａ）に送信する（ステップＳ２５）。本実施形態では、端末認証部５２によって正当な利用権限を有する端末であると判断された場合につき、以下続けて説明する。
【０２０１】
端末１０ａａでは、正当な利用権限を有する端末であると判断されたことを示す認証結果情報を受信すると、送受信部１１が通信ネットワーク２を介して管理システム５０へ、宛先リストを要求する旨が示された宛先リスト要求情報を送信する（ステップＳ２６）。これにより、管理システム５０の送受信部５１は、宛先リスト要求情報を受信する。
【０２０２】
次に、端末抽出部５４は、ログイン要求した要求元端末（端末１０ａａ）の端末ＩＤ「０１ａａ」を検索キーとして、宛先リスト管理テーブル（図９参照）を検索し、要求元端末（端末１０ａａ）と通話することができる宛先端末の候補の端末ＩＤを読み出すことによって抽出する（ステップＳ２７）。また、端末抽出部５４は、抽出された端末ＩＤを検索キーとして、端末管理テーブル（図８参照）を検索し、この端末ＩＤに対応する宛先名を読み出すことによって抽出する。ここでは、要求元端末（端末１０ａａ）の端末ＩＤ「０１ａａ」に対応する宛先端末（１０ａｂ，１０ｅ１，１０ｅ２，・・・）のそれぞれの端末ＩＤ（「０１ａｂ」、「０１ｅ１」、「０１ｅ２」、・・・）と、これらに対応する端末名が抽出される。
【０２０３】
次に、管理システム５０の記憶・読出処理部６０は、不揮発性記憶部５０００から宛先端末の一覧を示す画像の表示形式を表すレイアウト情報を読み出す（ステップＳ２８）と共に、このレイアウト情報及び上記端末抽出部５４によって抽出された端末ＩＤ及び宛先名を含めた「宛先リスト情報（レイアウト情報、端末ＩＤ、宛先名）」を、要求元端末（端末１０ａａ）に送信する（ステップＳ２９）。これにより、要求元端末（端末１０ａａ）では、送受信部１１が宛先リスト情報を受信し、記憶・読出処理部１８が揮発性記憶部１１００へ宛先リスト情報を記憶する（ステップＳ３０）。
【０２０４】
また、管理システム５０の端末状態取得部５５は、上記端末抽出部５４によって抽出された宛先端末の候補の端末ＩＤ（「０１ａｂ」、「０１ｅ１」、「０１ｅ２」、・・・）を検索キーとして、端末管理テーブル（図８参照）を検索し、上記端末抽出部５４によって抽出された端末ＩＤ毎に、対応する稼動状態を読み出すことにより、宛先候補としての端末（１０ａｂ，１０ｅ１，１０ｅ２，・・・）の各稼動状態を取得する（ステップＳ３１）。
【０２０５】
次に、送受信部５１は、端末管理テーブル（図８参照）において、ログイン要求した要求元端末（端末１０ａａ）に対応付けられた「複数セッション許可フラグ」の情報と、上記ステップＳ３１で検索キーとして使用された端末ＩＤ（「０１ａｂ」、「０１ｅ１」、「０１ｅ２」、・・・）と、対応する宛先端末（１０ａｂ，１０ｅ１，１０ｅ２，・・・）の稼動状態とが含まれた「端末の状態情報」を、通信ネットワーク２を介して要求元端末（端末１０ａａ）に送信する（ステップＳ３２）。
【０２０６】
次に、要求元端末（端末１０ａａ）の記憶・読出処理部１８は、管理システム５０から受信した端末の状態情報を揮発性記憶部１１００に記憶する（ステップＳ３３）。これにより、要求元端末（端末１０ａａ）と通話することができる宛先端末の候補である端末１０の現時点のそれぞれの稼動状態を取得することができる。
【０２０７】
また、管理システム５０の会議管理部５９は、上記端末抽出部５４によって抽出された宛先端末の候補の端末ＩＤ（「０１ａｂ」、「０１ｅ１」、「０１ｅ２」、・・・）を検索キーとして、入室管理テーブル（図１２参照）を検索し、上記端末抽出部５４によって抽出された端末ＩＤ毎に、当該端末ＩＤと関連付けられた会議室ＩＤがある場合には、当該会議室ＩＤを読み出す（ステップＳ３４）。
【０２０８】
次に、管理システム５０の会議管理部５９は、送受信部５１を介して、端末ＩＤと、当該端末ＩＤに関連付けられた会議室ＩＤとを含む会議室存在情報を端末１０ａａに送信する（ステップＳ３５）。次に、要求元端末（端末１０ａａ）の記憶・読出処理部１８は、送受信部１１を介して、管理システム５０から受信した会議室存在情報を揮発性記憶部１１００に記憶する（ステップＳ３６）。次に、端末１０ａａの宛先リスト作成部２０は、「複数セッション許可フラグ」の情報、宛先リスト情報、状態情報及び会議室存在情報に基づいて宛先リスト（宛先端末状態一覧情報）を作成する。次に、要求元端末（端末１０ａａ）の表示制御部１７は、当該宛先リストを宛先端末状態一覧画像（図２８参照）として、図３に示されているディスプレイ１２０に表示する（ステップＳ３７）。
【０２０９】
以上の処理により、管理システム５０は、図２８の宛先端末状態一覧情報を含む画像を端末１０ａａのディスプレイ１２０ａａに表示させる。本実施形態の宛先端末状態一覧画像では、宛先端末に関連付けられた会議室があるか否かを示す情報を、宛先端末状態情報毎に表示される会議室アイコンの有無（画像１５０４）により表現する。
【０２１０】
続いて、図３０を用いて、図１４のステップＳ１０６で、配信中に通話用のセッションの開始を要求する場合の処理を説明する。図３０は、通話の開始を要求する処理を示したシーケンス図である。なお、図３０において、端末１０と管理システム５０との間の通信は、全て管理情報用セッションｓｅｉを使用して行われる。また、本実施形態においては、要求元端末（端末１０ａａ）は、宛先端末一覧画像（図２８参照）に示された宛先の候補としての端末１０のうち、稼動状態が「ＯＮライン（通話可能）」または「ＯＮライン（伝送中）」である端末の少なくとも一つと通信の開始を要求することができる。
【０２１１】
まず、要求元端末（端末１０ａａ）の利用者が図３に示されている操作ボタン１０８を押下して宛先端末（端末１０ａｂ）を選択すると、図５に示されている操作入力受付部１２は、端末１０ａｂとの通話を開始する要求を受け付ける（ステップＳ４１）。そして、端末１０ａａの送受信部１１は、要求元端末（端末１０ａａ）の端末ＩＤ「０１ａａ」、宛先端末（端末１０ａｂ）の端末ＩＤ「０１ａｂ」、及び通話用の通信による通話の開始を要求する旨を示す情報「Ｉｎｖｉｔｅ」が含まれる開始要求情報を、管理システム５０へ送信する（ステップＳ４２）。これにより、管理システム５０の送受信部５１は、上記開始要求情報を受信すると共に、送信元である要求元端末（端末１０ａａ）のＩＰアドレス「１．２．１．３」を把握することになる。
【０２１２】
次に、セッションＩＤ生成部５６ａは、要求元端末（端末１０ａａ）によって要求された各宛先端末との間の通信（通話データ（画像・音声データ）用セッションｓｅｄ）を識別するためのセッションＩＤ「ｓｅ２」を生成する（ステップＳ４３）。セッションＩＤが生成されると、セッション管理部５７は、セッションＩＤ「ｓｅ２」及び、宛先端末の数「２」を揮発性記憶部５１００に記憶する。この宛先端末の数は、後に通信の開始を拒否する旨の変更要求情報「Ｒｅｊｅｃｔ」を受信した場合に、宛先端末のすべてからこの変更要求情報「Ｒｅｊｅｃｔ」を受信したか否かを判定するために用いられる。
【０２１３】
続いて、管理システム５０の中継装置選択部５６は、中継装置管理ＤＢ５００１、中継装置選択管理ＤＢ５００６に基づいて、要求元端末（端末１０ａａ）と、宛先端末（端末１０ａｂ）との通話を中継するための中継装置３０の選択を行う（ステップＳ４４）。この場合、まず、中継装置抽出部５６ｂは、要求元端末（１０ａａ）から送られてきた開始通信情報に含まれている要求元端末（端末１０ａａ）の端末ＩＤ「０１ａａ」、宛先端末（端末１０ａｂ）の端末ＩＤ「０１ａｂ」に基づいて、中継装置選択管理テーブル（図１１参照）を検索することにより、端末（１０ａａ，１０ａｂ）に対応する中継装置ＩＤ（「１１１ａ」，「１１１ａ」）を抽出する。
【０２１４】
抽出された各中継装置ＩＤが全て同一であれば、選択部５６ｃは、中継装置管理テーブル（図６参照）で管理されている中継装置３０の稼動状態のうち、抽出された中継装置ＩＤの稼動状態を参照する。ここで中継装置ＩＤの稼動状態が「ＯＮライン」である場合には、選択部５６ｃは、抽出された中継装置を、通話を中継するための中継装置として選択する。抽出された各中継装置ＩＤが同一でない場合、又は、上記の参照の結果、中継装置ＩＤの稼動状態が「ＯＦＦライン」である場合には、中継装置ＩＤ「１１１ｅ」の中継装置３０ｅを、通話を中継するための中継装置として選択する。本実施形態では、中継装置３０ｅが選択された場合につき、以下続けて説明する。
【０２１５】
中継装置３０の選択処理が完了すると、セッション管理部５７は、不揮発性記憶部５０００のセッション管理テーブル（図１０参照）において、セッションＩＤ「ｓｅ２」が含まれるレコードの要求元端末ＩＤ、宛先端末ＩＤ、中継装置ＩＤのフィールド部分に、要求元端末（端末１０ａａ）の端末ＩＤ「０１ａａ」、宛先端末（端末１０ａｂ）の端末ＩＤ「０１ａｂ」、選択された中継装置３０ｅの中継装置ＩＤ「１１１ｅ」を記憶して管理する（ステップＳ４５）。
【０２１６】
次に、図５に示されている送受信部５１は、通信ネットワーク２を介して、要求元端末（端末１０ａａ）へ、セッションＩＤ生成部５６ａで生成されたセッションＩＤと、選択部５６ｃで選択された中継装置３０ｅに接続するために用いられる中継装置接続情報を送信する（ステップＳ４６）。この中継装置接続情報には、中継装置３０ｅのＩＰアドレス「１．１．１．３」、認証情報及びポート番号等を含めることができる。これにより、端末１０ａａは、セッションＩＤ「ｓｅ２」におけるセッションの実行において、通話データの中継に用いられる中継装置３０ｅに接続するために用いられる中継装置接続情報を把握することができる。
【０２１７】
次に、送受信部５１は、要求元端末（端末１０ａａ）の端末ＩＤ「０１ａａ」、宛先端末との通話の開始を要求する旨を示す変更要求情報「Ｉｎｖｉｔｅ」、セッションＩＤ「ｓｅ２」が含まれる開始要求情報、中継装置３０ｅに接続するために用いられる上記の中継装置接続情報、及び管理システム５０のＩＰアドレスをすべての宛先端末（１０ａｂ）へ送信する（ステップＳ４７）。これにより、宛先端末（端末１０ａｂ）の送受信部５１は、上記開始要求情報を受信すると共に、通話データの中継に用いられる中継装置３０ｅに接続するために用いられる中継装置接続情報、及び送信元である管理システム５０のＩＰアドレス「１．１．１．２」を把握することになる。
【０２１８】
続いて、図３１を用いて、上記の開始要求情報を受信した宛先端末（端末１０ａｂ）の利用者が、図３に示されている操作ボタン１０８を押下することにより、要求元端末（端末１０ａａ）との間の通信の開始を許可する旨の応答が受け付けられた場合の処理について説明する。図３１は、通信の開始の要求を許可する処理を示したシーケンス図である。宛先端末（端末１０ａｂ）の操作ボタン１０８によって、要求元端末（端末１０ａａ）との間の通信の開始を許可する旨の応答が受け付けられる（ステップＳ４８）。次に、宛先端末（端末１０ａｂ）の送受信部１１は、宛先端末（端末１０ａｂ）の端末ＩＤ「０１ａｂ」、要求元端末（端末１０ａａ）の端末ＩＤ「０１ａａ」、通信の開始を許可する旨を示す情報「Ａｃｃｅｐｔ」、セッションＩＤ「ｓｅ２」が含まれる開始応答情報を、管理システム５０へ送信する（ステップＳ４９）。
【０２１９】
管理システム５０の送受信部５１がこの開始応答情報を受信すると、状態管理部５３は、要求元端末（端末１０ａａ）の端末ＩＤ「０１ａａ」及び宛先端末（端末１０ａｂ）の端末ＩＤ「０１ａｂ」に基づき、端末管理テーブル（図８参照）において、上記端末ＩＤ「０１ａａ」及び端末ＩＤ「０１ａｂ」がそれぞれ含まれるレコードの稼動状態のフィールド部分を、「ＯＮライン（通話中）」に変更する（ステップＳ５０）。
【０２２０】
次に、送受信部５１は、宛先端末（端末１０ａｂ）の端末ＩＤ「０１ａｂ」、宛先端末との通話の開始の要求を許可する旨を示す変更要求情報「Ａｃｃｅｐｔ」、セッションＩＤ「ｓｅ２」が含まれる開始応答情報を要求元端末（端末１０ａａ）へ送信する（ステップＳ５１）。この開始応答情報を受信すると、要求元端末（端末１０ａａ）は、送受信部１１によってセッションＩＤ「ｓｅ２」と、ステップＳ４６で取得した中継装置接続情報とを中継装置３０ｅに送信することにより、中継装置３０ｅと接続する（ステップＳ５２）。一方、宛先端末（端末１０ａｂ）は、送受信部１１によってセッションＩＤ「ｓｅ２」と、ステップＳ４７−２で取得した中継装置接続情報とを中継装置３０ｅに送信することにより、中継装置３０ｅと接続する（ステップＳ５３）。
【０２２１】
続いて、図３２を用いて、ステップＳ４７で開始要求情報を受信した宛先端末（端末１０ａｂ）の利用者が図３に示されている操作ボタン１０８を押下することにより、要求元端末（端末１０ａａ）との間の通信の開始を拒否する旨の応答が受け付けられた場合の処理について説明する。図３２は、通信の開始の要求を拒否する処理を示したシーケンス図である。宛先端末（端末１０ａｂ）の操作ボタン１０８によって、要求元端末（端末１０ａａ）との間の通信の開始を拒否する旨の応答が受け付けられると（ステップＳ５４）、宛先端末（端末１０ａｂ）の送受信部１１は、宛先端末（端末１０ａｂ）の端末ＩＤ「０１ａｂ」、通信の開始の要求を拒否する旨を示す変更要求情報「Ｒｅｊｅｃｔ」、セッションＩＤ「ｓｅ２」が含まれる開始応答情報を、管理システム５０へ送信する（ステップＳ５５）。
【０２２２】
次に、セッション管理部５７は、不揮発性記憶部５０００のセッション管理テーブル（図１０参照）において、セッションＩＤ「ｓｅ２」が含まれるレコードの宛先端末のフィールド部分から宛先端末（端末１０ａｂ）の端末ＩＤ「０１ａｂ」を削除する（ステップＳ５６）。更に、送受信部５１は、宛先端末（端末１０ａｂ）の端末ＩＤ「０１ａｂ」、通信の開始の要求を拒否する旨を示す応答情報「Ｒｅｊｅｃｔ」、セッションＩＤ「ｓｅ２」が含まれる開始応答情報を、要求元端末（端末１０ａａ）へ送信する（ステップＳ５７）。これにより、要求元端末（端末１０ａａ）は要求元端末（端末１０ｂｂ）との間の通信の開始の要求が拒否されたことを把握する。
【０２２３】
続いて、図３３を用いて、図３１のように通話データ用のセッションが接続された場合に、中継装置３０ｅが要求元端末（端末１０ａａ）と宛先端末（端末１０ａｂ）との間で通信される通話データの中継を開始する処理を説明する。なお、図３３において、画像・音声通信セッションを確立させるまでの通信は、全て管理情報用セッションｓｅｉを使用して行われる。
【０２２４】
まず、要求元端末（端末１０ａａ）は、中継装置３０ｅと接続した後（ステップＳ５２参照）の所定のタイミングで、送受信部１１によって、要求元端末（端末１０ａａ）の端末ＩＤ「０１ａａ」、セッションＩＤ「ｓｅ２」、及び中継の開始を要求する旨を示す情報「Ｊｏｉｎ」が含まれる中継要求情報を管理システム５０へ送信する（ステップＳ６１−１）。
【０２２５】
管理システム５０の送受信部５１が中継要求情報を受信すると、通信を確立するための接続制御を実行する。まず、管理システム５０は、要求元端末（端末１０ａａ）の端末ＩＤ「０１ａａ」、及びセッションＩＤ「ｓｅ２」が含まれる中継開始要求情報を中継装置３０ｅへ送信する（ステップＳ６２−１）。この中継開始要求情報を受け付けると、中継装置３０ｅは、中継の開始を許可する旨を示す通知情報「ＯＫ」を含む中継開始許可情報を、管理システム５０へ送信する（ステップＳ６３−１）。この応答を受信すると管理システム５０の送受信部５１は、この中継開始許可情報を要求元端末（端末１０ａａ）に送信する（ステップＳ６４−１）。これにより、要求元端末（端末１０ａａ）と中継装置３０ａとの間の通話データ用セッションｓｅｄが確立される（ステップＳ６５−１）。
【０２２６】
一方、宛先端末（端末１０ａｂ）は、中継装置３０ｅと接続した後（ステップＳ５３参照）の所定のタイミングで、送受信部１１によって、宛先端末（端末１０ａｂ）の端末ＩＤ「０１ａｂ」、セッションＩＤ「ｓｅ２」、及び中継の開始を要求する旨を示す情報「Ｊｏｉｎ」が含まれる中継要求情報を管理システム５０へ送信する（ステップＳ６１−２）。
【０２２７】
続いて、管理システム５０及び中継装置３０ｅによってステップＳ６２−１，Ｓ６３−１，Ｓ６４−１と同様の処理が実行されることにより、宛先端末（端末１０ａｂ）と中継装置３０ｅとの間の通話データ用セッションｓｅｄが確立される（ステップＳ６２−２，Ｓ６３−２，Ｓ６４−２，Ｓ６５−２）。要求元端末（端末１０ａａ）と中継装置３０ｅとの間の通話データ用セッションｓｅｄ及び宛先端末（端末１０ａａ）と中継装置３０ｅとの間の通話データ用セッションｓｅｄが確立されると、中継装置３０ａは、端末（１０ａａ，１０ａｂ）の間で、低解像度、中解像度、及び高解像度の３つ画像データ、並びに、音声データを中継することができる。これにより、端末（１０ａａ，１０ａｂ）は、テレビ会議を開始することができる。
【０２２８】
続いて、図３４を用いて、図１４のステップＳ１２１で、要求元端末（端末１０ａａ）と宛先端末（端末１０ａｂ）との間で通話データ用セッションが確立された後に、要求元端末（端末１０ａａ）がこの通話データ用セッションから退出（切断）する処理を説明する。なお、配信用の会議室から退出する処理も、以下と同様である。
【０２２９】
図３４は、通話データ用セッションからの退出を要求する処理を示したシーケンス図である。なお、図３４のシーケンス図の全ての通信は、管理情報用セッションｓｅｉを使用して行われる。
【０２３０】
まず、要求元端末（端末１０ａａ）の利用者が図３に示されている操作ボタン１０８を押下することにより、通話データ用セッションから退出する要求が受け付けられる（ステップＳ１１１）。そして、要求元端末（端末１０ａａ）の送受信部１１は、要求元端末（端末１０ａａ）の端末ＩＤ「０１ａａ」、通話データ用セッションから退出する要求を示す変更要求情報「Ｌｅａｖｅ」、及びセッションＩＤ「ｓｅ２」が含まれる、セッション退出要求情報を管理システム５０へ送信する（ステップＳ１１２）。
【０２３１】
次に、セッション管理部５７は、不揮発性記憶部５０００のセッション管理テーブル（図１０参照）において、セッションＩＤ「ｓｅ２」が含まれるレコードの要求元端末のフィールド部分から要求元端末（端末１０ａａ）の端末ＩＤ「０１ａａ」を削除する（ステップＳ１１３）。管理システム５０は、要求元端末（端末１０ａａ）の端末ＩＤ「０１ａａ」、及びセッションＩＤ「ｓｅ２」が含まれるセッションの退出を要求する旨の通知を、中継装置３０ｅへ送信する（ステップＳ１１４）。これにより、中継装置３０ｅは、要求元端末（端末１０ａａ）との間の通話データ用セッションを停止するとともに、要求元端末（端末１０ａａ）との間の接続を切断する。続いて、中継装置３０ｅは、要求元端末（端末１０ａａ）の端末ＩＤ「０１ａａ」、セッションＩＤ「ｓｅ２」が含まれる退出の要求を許可する旨の通知を、管理システム５０へ送信する（ステップＳ１１５）。
【０２３２】
管理システム５０が退出の要求を許可する旨の通知を受信すると、送受信部５１は、要求元端末（端末１０ａａ）の端末ＩＤ「０１ａａ」、変更要求情報「Ｌｅａｖｅ」、セッションＩＤ「ｓｅ２」、退出の要求を許可する旨の通知情報「ＯＫ」が含まれるセッション退出許可情報を要求元端末（端末１０ａａ）に送信する（ステップＳ１１６）。管理システム５０の状態管理部５３は、セッション退出要求情報に含まれる要求元端末（端末１０ａａ）の端末ＩＤ「０１ａａ」に基づき、端末管理テーブル（図８参照）において、上記端末ＩＤ「０１ａａ」が含まれるレコードの稼動状態を、「ＯＮライン（通話中）」から「ＯＮライン（通話可能）」に変更する（ステップＳ１１７）。
【０２３３】
次に、端末１０ａａは、図３に示されている電源スイッチ１０９を押下することにより、電源ＯＦＦの要求を受け付ける（ステップＳ１１８）。電源ＯＦＦの要求が受け付けられると、送受信部１１は端末１０ａａの端末ＩＤ「０１ａａ」と管理システム５０との間の接続を切断する旨の通知情報と含む切断要求情報を管理システム５０へ送信する（ステップＳ１１９）。
【０２３４】
管理システム５０の送受信部５１がこの切断要求情報を受信すると、状態管理部５３は、切断要求情報に含まれる要求元端末（端末１０ａａ）の端末ＩＤ「０１ａａ」に基づき、端末管理テーブル（図８参照）において、上記端末ＩＤ「０１ａａ」が含まれるレコードの稼動状態を、「ＯＮライン（通話可能）」から「ＯＦＦライン」に変更する（ステップＳ１２０）。続いて、送受信部５１は、切断の要求を許可する旨の切断許可情報を要求元端末（端末１０ａａ）に送信する（ステップＳ１２１）。これにより、管理システム５０は、要求元端末（端末１０ａａ）との間の管理データ用セッションを停止するとともに、要求元端末（端末１０ａａ）との間の接続を切断する。
【０２３５】
切断許可情報を受け付けると、要求元端末（端末１０ａａ）は、電源ＯＦＦを実行して処理を完了する（ステップＳ１２２）。
【０２３６】
＜効果＞
以上説明したように本実施形態によれば、複数の端末へのコンテンツデータの配信を継続しながら、端末とのプライベートなコミュニケーションを行うことができる。また、管理システム５０にて、複数のセッションを並行して接続することの許否を管理できる。
【０２３７】
例えば、保育園の映像等を配信する端末を用いて、子供の急な発熱等を当該子供の保護者に連絡すると、他の保護者にもその音声等を聞かれてしまい、プライバシー上の問題がある。本実施形態によれば、通話用のセッションを接続する際、配信用の音声を停止（ミュート）するため、プライバシーを保護できる。
［第２の実施形態］
第１の実施形態では、端末１０が、第２のセッションが確立されている（接続している）間に、第１のセッションを確立する場合、第２のセッションにおける音声データの伝送を停止することにより、第２のセッションにおけるコンテンツデータの通信の品質を変更する例について説明した。
【０２３８】
第２の実施形態では、第１の実施形態に代えて、または加えて、端末１０が、第２のセッションが確立されている間に、第１のセッションを確立する場合、中継装置３０との間の通信帯域に基づいて、第２のセッションにおけるコンテンツデータの通信の通信帯域等の品質を変更する例について説明する。
【０２３９】
図３５は、第２の実施形態に係る伝送システムを構成する各端末、装置及びシステムの機能ブロック図である。図５の第１の実施形態の機能ブロック図と比較して、下記が異なる。
【０２４０】
＜管理システムの機能構成＞
管理システム５０は、品質設定管理ＤＢ５００９をさらに備える。
【０２４１】
（品質設定管理テーブル）
不揮発性記憶部５０００には、図３６に示されているような品質設定管理テーブルによって構成されている品質設定管理ＤＢ５００９が構築されている。この品質設定管理テーブルでは、端末１０の端末ＩＤ毎に、各セッションにおける各コンテンツデータの通信に応じた通信帯域の割合、及び各セッションにおける各コンテンツデータの通信に応じた最低限の通信帯域の設定が関連付けられて管理される。例えば、図３６に示されている品質設定管理テーブルにおいて、端末ＩＤが「０１ａａ」の端末１０は、「配信」のセッションにおける「映像送信」であるコンテンツデータの通信、「通話」のセッションにおける「映像送信」及び「映像受信」であるコンテンツデータの通信に対する通信帯域の割合が、それぞれ３：６：１であり、「通話」のセッションにおける「映像送信」であるコンテンツデータの通信に対する最低限の通信帯域が「５１２ｋｂｐｓ」と設定されていることが示されている。
【０２４２】
次に、管理システム５０の機能ブロック図について説明する。
【０２４３】
管理システム５０の送受信部５１は、端末１０からの要求に応じて、当該端末１０の端末ＩＤに応じた、各セッションにおける各コンテンツデータの通信に応じた通信帯域の割合、及び各セッションにおける各コンテンツデータの通信に応じた最低限の通信帯域を含む品質設定情報を、品質設定管理テーブルから取得する。送受信部５１は、取得した品質設定情報を、当該端末１０に通知する。
【０２４４】
＜端末の機能構成＞
次に、端末１０について説明する。端末１０は、帯域情報取得部２１、品質決定部２２をさらに備える。
【０２４５】
帯域情報取得部２１は、第１の端末との間の第１のセッションを、第２の端末との間の第２のセッションが確立されているときに確立する場合、中継装置との間の通信帯域の情報を取得する帯域情報取得処理を行う。帯域情報取得部２１は、第１のセッション及び第２のセッションの確立が継続されている間、例えば定期的に、帯域情報取得処理を行う。なお、帯域情報取得処理の詳細は後述する。
【０２４６】
品質決定部２２は、送受信部１１を介して、管理システム５０から、端末１０の端末ＩＤに対応付けて品質設定管理テーブルにて管理されている品質設定情報を取得する。なお、品質設定情報は、端末１０にて予め記憶しておく構成としてもよい。
【０２４７】
品質決定部２２は、帯域情報取得部２１により中継装置との間の通信帯域の情報が取得されると、通信帯域の情報、及び品質設定情報に基づき、各セッションにおけるコンテンツデータの通信の品質を決定する品質決定処理を行う。なお、品質決定処理の詳細は後述する。
【０２４８】
セッション制御部１９は、第１の端末との間の第１のセッションを、第２の端末との間の第２のセッションが確立されているときに確立する場合、品質決定部２２により決定された通信の品質に基づき、各セッションにおけるコンテンツデータの通信の品質を変更する。なお、各セッションにおけるコンテンツデータの通信の品質とは、コンテンツデータの通信帯域に関するものであり、「品質」には、例えば、映像の解像度、フレームレート等が含まれる。
【０２４９】
セッション制御部１９は、第１の端末との間の第１のセッションまたは、第２の端末との間の第２のセッションが切断された場合、各セッションにおけるコンテンツデータの通信の品質を通常の状態に戻す。
【０２５０】
セッション制御部１９は、送受信部１１を用いて、品質決定部２２により決定された各セッションにおけるコンテンツデータの通信の品質により、コンテンツデータの通信を行う。
【０２５１】
＜＜第２の実施形態の処理または動作＞＞
続いて、図３７乃至図３４を用いて、第２の実施形態に係る伝送システム１における処理方法を説明する。
【０２５２】
まず、図３７を参照して、第２の実施形態における通信帯域の制御処理を行う際の伝送システム１の動作について説明する。図３７は、通信帯域の制御処理を行う際の処理の一例を示すシーケンス図である。
【０２５３】
端末１０−１は、配信用のセッションを用いて、画像、音声等のコンテンツデータの配信を行う（ステップＳ１１０１）。
【０２５４】
中継装置３０は、当該コンテンツデータを、配信先の端末１０−２、１０−３に転送する（ステップＳ１１０２−１、ステップＳ１１０２−２）。
【０２５５】
端末１０−１は、ユーザから、宛先を指定して、通話用のセッションの開始の要求を受け付ける（ステップＳ１１０３）。
【０２５６】
端末１０−１は、中継装置３０との間の、利用可能な通信帯域の情報を取得する帯域情報取得処理を行う（ステップＳ１１０４）。
【０２５７】
端末１０−１は、管理システム５０に、配信用のセッション及び通話用のセッションにおけるコンテンツデータの品質設定情報の通知を要求する（ステップＳ１１０５）。
【０２５８】
管理システム５０は、端末１０−１に、配信用のセッション及び通話用のセッションにおけるコンテンツデータの品質の設定情報を通知する（ステップＳ１１０６）。
【０２５９】
端末１０−１は、管理システム５０から通知された設定情報に基づき、コンテンツデータの通信の品質を決定する品質決定処理を行う（ステップＳ１１０７）。
【０２６０】
端末１０−１は、配信用のセッションにおけるコンテンツデータの通信の品質を変更する（ステップＳ１１０８）。
【０２６１】
中継装置３０は、変更された品質の画像データを含むコンテンツデータを、配信先の端末１０−２、１０−３に転送する（ステップＳ１１０９−１、ステップＳ１１０９−２）。
【０２６２】
端末１０−１は、管理システム５０を介して、宛先端末１０−２へ、通話用のセッションの開始要求を送信する（ステップＳ１１１０）。
【０２６３】
端末１０−１は、管理システム５０を介して、宛先端末１０−２からの応答を受信する（ステップＳ１１１１）。
【０２６４】
端末１０−１は、決定された品質で、中継装置３０を介して、通話用のセッションにおける送信用の映像を送信する（ステップＳ１１１２）。
【０２６５】
端末１０−１は、通話用のセッションにおける受信用の映像の品質を、決定された品質に変更する（ステップＳ１１１３）。
【０２６６】
なお、ステップＳ１１０８の配信用のセッションにおけるコンテンツデータの通信の品質を変更する処理は、ステップＳ１１１１の宛先端末１０−２からの応答を受信した後に行う構成としてもよい。
【０２６７】
なお、ステップＳ１１１３における受信用の映像の品質を、決定された品質に変更する処理は、例えば、以下のように行う構成としてもよい。端末１０−１は、宛先端末１０−２または中継装置３０へ、所定のコマンドを送信する。当該コマンドを受信した宛先端末１０−２または中継装置３０は、宛先端末１０−２からの映像の品質を、当該コマンドに応じた品質に制御する。あるいは、中継装置３０が、端末１０−１から通知された遅延時間に基づいて、宛先端末１０−２からの映像の品質を制御する機能を有する場合は、端末１０−１から中継装置３０に、所定の遅延時間を通知することにより、中継装置３０に、宛先端末１０−２からの映像の品質を制御させる構成としてもよい。
【０２６８】
次に、図３８を参照して、端末１０−１の帯域情報取得部２１による、図３７のステップＳ１１０３の帯域情報取得処理の詳細例について説明する。図３８は、帯域情報取得処理の一例を示すフローチャートである。
【０２６９】
帯域情報取得部２１は、中継装置３０に、例えば周知のＰｉｎｇを用いて、所定のサイズのデータ（送信データ）を送信する（ステップＳ１２０１）。
【０２７０】
帯域情報取得部２１は、中継装置３０の送受信部３１から、送信データに対する応答を受信する（ステップＳ１２０２）。
【０２７１】
帯域情報取得部２１は、送信データを送信してから、応答を受信するまでの経過時間（ラウンドトリップタイム）を測定する（ステップＳ１２０３）。
【０２７２】
帯域情報取得部２１は、送信データのサイズ、応答のデータのサイズ、経過時間に基づき、例えば下記の式により、端末１０−１と中継装置３０との間の通信帯域を推定する（ステップＳ１２０４）。
【０２７３】
通信帯域＝（送信データのサイズ＋受信データのサイズ）×係数α／経過時間
なお、Ｐｉｎｇを用いた場合は、受信データのサイズは、送信データのサイズと同じである。ここで、係数αは、通信網のゆらぎや、推定値の誤差等を考慮して予め設定された係数である。係数αの情報は、管理システム５０から取得する構成としても、端末１０−１にて予め記憶しておく構成としてもよい。
【０２７４】
なお、通信帯域は、上述の式に基づいて算出する代わりに、例えば、経過時間毎の通信帯域の推定値の表を用いて算出する構成としてもよい。また、通信帯域を推定手法としては、他の周知の手法を用いた構成としてもよい。例えば、端末１０−１から、中継装置３０に、ＴＣＰやＲＴＰ等を用いて所定のサイズの送信データを送信し、中継装置３０から端末１０−１へ受信確認を通知する。そして、端末１０−１にて、送信データのサイズを、送信データの送信から受信確認の受信までの経過時間にて除算し、所定の係数を乗算することにより、通信帯域を推定する構成としてもよい。
【０２７５】
帯域情報取得部２１は、通信帯域の情報を、測定により取得する代わりに、端末１０にて予め記憶してある通信帯域の情報を取得する構成としてもよい、または、管理システム５０から通信帯域の情報を取得する構成としてもよい。
【０２７６】
次に、図３９を参照して、端末１０−１の品質決定部２２による、図３６のステップＳ１１０６の品質決定処理の詳細例について説明する。図３９は、品質決定処理の一例を示すフローチャートである。
【０２７７】
品質決定部２２は、帯域情報取得部２１により測定された通信帯域と、管理システム５０から取得した、各セッションにおけるコンテンツデータの通信に対する割合に基づいて、各セッションにおけるコンテンツデータの通信の通信帯域を算出する（ステップＳ１３０１）。
【０２７８】
品質決定部２２は、各セッションにおけるコンテンツデータの通信のうち、管理システム５０から取得した、各セッションにおけるコンテンツデータの通信に対する最低通信帯域以上でないコンテンツデータの通信があるか判断する（ステップＳ１３０２）。
【０２７９】
各セッションにおけるコンテンツデータの通信に対する最低通信帯域以上でないコンテンツデータの通信がなければ（ステップＳ１３０２でＮＯ）、処理を終了する。
【０２８０】
各セッションにおけるコンテンツデータの通信に対する最低通信帯域以上でないコンテンツデータの通信があれば（ステップＳ１３０２でＹＥＳ）、当該コンテンツデータの通信に割り当てる通信帯域を、当該コンテンツデータの通信に対する最低通信帯域に決定する（ステップＳ１３０３）。
【０２８１】
管理システム５０から取得した、既に決定された１以上のコンテンツデータの通信以外の各セッションにおけるコンテンツデータの通信に対する割合に基づいて、当該各セッションにおけるコンテンツデータの通信の通信帯域を算出する（ステップＳ１３０４）。
【０２８２】
当該各セッションにおけるコンテンツデータの通信について、ステップＳ１３０２以降の処理に戻る。
【０２８３】
図３６の品質設定管理テーブルの例では、帯域情報取得部２１により取得された中継装置３０との間の通信帯域が１Ｍｂｐｓ（１０２４ｋｂｐｓ）であった場合、「配信」のセッションにおける「映像送信」に割り当てられる伝送帯域は、１０２４×３／（３＋６＋１）＝３０７ｋｂｐｓとなる。同様に、「通話」のセッションにおける「映像送信」に割り当てられる伝送帯域は、１０２４×６／（３＋６＋１）＝６１４ｋｂｐｓとなる。
【０２８４】
帯域情報取得部２１により取得された中継装置３０との間の通信帯域が０．６Ｍｂｐｓ（６１４ｋｂｐｓ）であった場合は、「通話」のセッションにおける「映像送信」に割り当てられる伝送帯域は、最低限の通信帯域として設定されている「５１２ｋｂｐｓ」となる。その場合、「配信」のセッションにおける「映像送信」に割り当てられる伝送帯域は、（６１４−５１２）×３／（３＋１）＝７７ｋｂｐｓとなる。
【０２８５】
次に、図４０を参照して、映像配信の通信帯域が所定の閾値以下の場合の、配信先での表示画面例について説明する。
【０２８６】
セッション制御部１９は、「配信」のセッションにおける「映像送信」に割り当てられる伝送帯域が第１の閾値以下の場合、例えば、所定のコマンドを配信先の端末１０に送信し、図４０（Ａ）のように、最後に配信した画像をそのまま１枚絵として配信先の端末１０に表示させる。
【０２８７】
セッション制御部１９は、「配信」のセッションにおける「映像送信」に割り当てられる伝送帯域が第２の閾値以下の場合、例えば、所定のコマンドを配信先の端末１０に送信し、図４０（Ｂ）のように、例えば灰色の画面に、「しばらくお待ちください」等のメッセージを、配信先の端末１０に表示させる。
【０２８８】
セッション制御部１９は、帯域情報取得部２１により取得された中継装置３０との間の通信帯域が、品質設定管理テーブルに設定されている「通話」のセッションにおける「映像送信」の最低限の通信帯域以下である場合は、取得された全通信帯域の値を「通話」のセッションにおける「映像送信」に割り当て、例えば、所定のコマンドを配信先の端末１０に送信し、例えば灰色の画面に、「しばらくお待ちください」等のメッセージを、配信先の端末１０に表示させる。
【０２８９】
＜効果＞
複数のセッションを同時に接続する場合、ネットワークの状況によっては、例えば配信用のセッションにより通信帯域を消費するため、通話用のセッションによる通信帯域が不足し、映像品質が低下する等の問題が生じる。
【０２９０】
例えば、保育園の映像等を配信する端末を用いて、子供の急な発熱等を当該子供の保護者に通話で連絡する場合、通話用のセッションで送信する映像は、子供の表情を詳細に伝えられるくらいの品質が望ましいと考えられる。一方、配信する映像は、配信側の様子が分かればよいため、高品質な映像を常時送信する必要性は低いと考えられる。
【０２９１】
本実施形態によれば、優先するセッションを自動的に決定して他のセッションの帯域を制御することで、優先するセッションの映像の品質を確保できる。それにより、通話が終了するまでの一時的な間、映像用のセッションで送信する映像による通信帯域の消費を抑え、優先度の高い、例えば通話用のセッションで送信する映像の品質を確保することができる。
【０２９２】
＜＜実施形態の補足＞＞
宛先リストの宛先端末状態一覧画像を作成する宛先リスト作成部２０を、端末１０にて備える構成に代えて、管理システム５０にて備える構成としてもよい。その場合、端末１０の稼働状態が「ＯＮライン（伝送中）」または「ＯＮライン（通話中）」である場合に、端末１０が配信用のセッションまたは通話用のセッションを接続していると判断する構成としてもよい。それにより、端末１０側での宛先リストの表示のための処理を低減できる。
【０２９３】
また、上記各実施形態における管理システム５０、及びプログラム提供システム９０は、単一のコンピュータによって構築されてもよいし、各部（機能又は手段）を分割して任意に割り当てられた複数のコンピュータによって構築されていてもよい。また、プログラム提供システム９０が単一のコンピュータによって構築されている場合には、プログラム提供システム９０によって送信されるプログラムは、複数のモジュールに分けて送信されるようにしてもよいし、分けないで送信されるようにしてもよい。更に、プログラム提供システム９０が複数のコンピュータによって構築されている場合には、複数のモジュールが分けられた状態で、各コンピュータから送信されるようにしてもよい。
【０２９４】
また、上記本実施形態の端末用プログラム、中継装置用プログラム、及び伝送管理用プログラムが記憶された記録媒体、並びに、これらプログラムが記憶されたＨＤ２０４、及びこのＨＤ２０４を備えたプログラム提供システム９０は、いずれもプログラム製品（Ｐｒｏｇｒａｍ  Ｐｒｏｄｕｃｔ）として、国内又は国外へ、上記端末用プログラム、中継装置用プログラム、及び伝送管理用プログラムが利用者等に提供される場合に用いられる。
【０２９５】
本実施形態において、「テレビ会議」は、「ビデオ会議」と置き換え可能な用語として用いられている。
【０２９６】
また、上記実施形態では、伝送システム１の一例として、テレビ会議システムの場合について説明したが、これに限るものではなく、ＩＰ（Ｉｎｔｅｒｎｅｔ  Ｐｒｏｔｏｃｏｌ）電話や、インターネット電話等の電話システムであってもよい。また、伝送システム１は、カーナビゲーションシステムであってもよい。この場合、例えば、端末１０の一方が自動車に搭載されたカーナビゲーション装置に相当し、端末１０の他方が、カーナビゲーションを管理する管理センターの管理端末若しくは管理サーバ、又は他の自動車に搭載されているカーナビゲーション装置に相当する。更に、伝送システム１は、音声会議システム、又はＰＣ（Ｐｅｒｓｏｎａｌ  Ｃｏｍｐｕｔｅｒ）画面共有システムであっても良い。
【０２９７】
また、上記実施形態では、伝送システム１によってテレビ会議をする場合について説明したが、これに限るものではなく、打ち合わせ、家族間や友人間等の一般的な会話、又は、一方向での情報の提示に使用されても構わない。
【０２９８】
また、上記実施形態では、端末１０が、図２に示されるような専用端末である場合について説明したが、端末１０は、スマートフォンやＰＣなどの汎用端末であってもよい。すなわち、上述の端末用プログラムをスマートフォンやＰＣなどの汎用端末にインストールして実行してもよい。
【符号の説明】
【０２９９】
１０  端末
１１  送受信部（「通信部」の一例）
１２  操作入力受付部
１３  ログイン要求部
１４ａ  撮像部
１４ｂ  撮像部
１５ａ  音声入力部
１５ｂ  音声入力部
１６ａ  音声出力部
１６ｂ  音声出力部
１７  表示制御部
１８  記憶・読出処理部
１９  セッション制御部
２０  宛先リスト作成部
２１  帯域情報取得部
２２  品質決定部
３０  中継装置
３１  送受信部
３２  状態検知部
３３  記憶・読出処理部
５０  管理システム
５１  送受信部（「受信部」の一例）
５２  端末認証部
５３  状態管理部
５４  端末抽出部
５５  端末状態取得部
５６  中継装置選択部
５７  セッション管理部
５８  セッション制御部
５９  会議管理部
６０  記憶・読出処理部
１０００  不揮発性記憶部
１１００  揮発性記憶部
３０００  不揮発性記憶部
５０００  不揮発性記憶部
５００１  中継装置管理ＤＢ
５００２  端末認証管理ＤＢ
５００３  端末管理ＤＢ（「端末管理部」の一例）
５００４  宛先リスト管理ＤＢ
５００５  セッション管理ＤＢ
５００６  中継装置選択管理ＤＢ
５００７  入室管理ＤＢ
５００８  会議室管理ＤＢ
５００９  品質設定管理ＤＢ
５１００  揮発性記憶部
【先行技術文献】
【特許文献】
【０３００】
【特許文献１】特開２００５−２９３０６５号公報
【図１】
2017076951.tif 000003
【図２】
2017076951.tif 000004
【図３】
2017076951.tif 000005
【図４】
2017076951.tif 000006
【図５】
2017076951.tif 000007
【図６】
2017076951.tif 000008
【図７】
2017076951.tif 000009
【図８】
2017076951.tif 000010
【図９】
2017076951.tif 000011
【図１０】
2017076951.tif 000012
【図１１】
2017076951.tif 000013
【図１２】
2017076951.tif 000014
【図１３】
2017076951.tif 000015
【図１４】
2017076951.tif 000016
【図１５】
2017076951.tif 000017
【図１６】
2017076951.tif 000018
【図１７】
2017076951.tif 000019
【図１８】
2017076951.tif 000020
【図１９】
2017076951.tif 000021
【図２０】
2017076951.tif 000022
【図２１】
2017076951.tif 000023
【図２２】
2017076951.tif 000024
【図２３】
2017076951.tif 000025
【図２４】
2017076951.tif 000026
【図２５】
2017076951.tif 000027
【図２６】
2017076951.tif 000028
【図２７】
2017076951.tif 000029
【図２８】
2017076951.tif 000030
【図２９】
2017076951.tif 000031
【図３０】
2017076951.tif 000032
【図３１】
2017076951.tif 000033
【図３２】
2017076951.tif 000034
【図３３】
2017076951.tif 000035
【図３４】
2017076951.tif 000036
【図３５】
2017076951.tif 000037
【図３６】
2017076951.tif 000038
【図３７】
2017076951.tif 000039
【図３８】
2017076951.tif 000040
【図３９】
2017076951.tif 000041
【図４０】
2017076951.tif 000042